(57)【特許請求の範囲】
【請求項１】
サービングゲートウェイ（サービングＧＷ）によって、ユーザ設備（ＵＥ）が第１の第３世代パートナーシップ・プロジェクト（３ＧＰＰ）通信ネットワークから非３ＧＰＰ通信ネットワークへ移行したときに、前記第１の３ＧＰＰ通信ネットワークからメッセージを受信するステップを含み、
前記サービングＧＷによって、前記第１の３ＧＰＰ通信ネットワークの第１の移動性管理ネットワーク要素（ＮＥ）に、前記第１の３ＧＰＰ通信ネットワークによって確立されたネットワーク資源を解放することを通知し、前記サービングＧＷによって、第２の３ＧＰＰ通信ネットワークの第２の移動性管理ＮＥに、前記第２の３ＧＰＰ通信ネットワークによって確立されたネットワーク資源を解放することを通知するステップ、及び
前記サービングＧＷによって、前記第２の３ＧＰＰ通信ネットワークによって確立されたネットワーク資源を解放することを通知するためのメッセージを送信することが可能な前記第１の３ＧＰＰ通信ネットワークの第１の移動性管理ＮＥに、前記第１の３ＧＰＰ通信ネットワークによって確立されたネットワーク資源を解放することを通知するステップ
のいずれか一方によって、前記ＵＥのため前記第１の３ＧＰＰ通信ネットワーク及び前記第２の３ＧＰＰ通信ネットワークによって確立されたネットワーク資源がメッセージに応じて削除される、ネットワーク資源解放処理方法。
【請求項２】
前記サービングＧＷによって、前記第１の３ＧＰＰ通信ネットワークから送信された前記メッセージを受信するステップが、
前記サービングＧＷによって、パケット・データ・ネットワーク・ゲートウェイ（ＰＤＮ  ＧＷ）から送信されたベアラ削除要求メッセージまたはバインディング取消指示メッセージを受信するステップを含み、
前記ベアラ削除要求メッセージまたは前記バインディング取消指示メッセージが、前記ＵＥが前記第１の３ＧＰＰ通信ネットワークから前記非３ＧＰＰ通信ネットワークへ移行したことを指示する第１の指示情報を含む、
請求項１に記載のネットワーク資源解放処理方法。
【請求項３】
前記サービングＧＷによって、前記第１の３ＧＰＰ通信ネットワークの前記第１の移動性管理ＮＥに、前記第１の３ＧＰＰ通信ネットワークによって確立された前記ネットワーク資源を解放することを通知することが、
前記第１の３ＧＰＰ通信ネットワークによって確立された前記ネットワーク資源を解放することを前記第１の３ＧＰＰ通信ネットワークの前記第１の移動性管理ＮＥに通知するため、前記サービングＧＷによって、ベアラ削除要求メッセージまたはパケット・データ・プロトコル（ＰＤＰ）コンテキスト削除メッセージを送信するステップを含み、
前記サービングＧＷによって、前記第２の３ＧＰＰ通信ネットワークの前記第２の移動性管理ＮＥに、前記第２の３ＧＰＰ通信ネットワークによって確立された前記ネットワーク資源を解放することを通知することが、
前記第２の３ＧＰＰ通信ネットワークによって確立された前記ネットワーク資源を解放することを前記第２の３ＧＰＰ通信ネットワークの前記第２の移動性管理ＮＥに通知するため、前記サービングＧＷによって、ベアラ削除要求メッセージまたはパケット・データ・プロトコル（ＰＤＰ）コンテキスト削除メッセージを送信するステップを含む、
請求項１に記載のネットワーク資源解放処理方法。
【請求項４】
前記サービングＧＷによって、前記第１の３ＧＰＰ通信ネットワークの前記第１の移動性管理ＮＥに、前記第１の３ＧＰＰ通信ネットワークによって確立された前記ネットワーク資源を解放することを通知することが、
前記第１の３ＧＰＰ通信ネットワークによって確立された前記ネットワーク資源を解放することを前記第１の３ＧＰＰ通信ネットワークの前記第１の移動性管理ＮＥに通知するため、前記サービングＧＷによって、ベアラ削除要求メッセージまたはパケット・データ・プロトコル（ＰＤＰ）コンテキスト削除メッセージを送信するステップを含み、
解放するための前記第１の３ＧＰＰ通信ネットワークの前記第１の移動性管理ＮＥは、前記第１の３ＧＰＰ通信ネットワークで前記ＵＥによって使用された前記資源を削除し、前記第２の３ＧＰＰ通信ネットワークによって確立された前記資源を解放することを前記第２の３ＧＰＰ通信ネットワークの前記第２の移動性管理ＮＥに通知するため、メッセージを送信することが可能である、
請求項１に記載のネットワーク資源解放処理方法。
【請求項５】
前記ＵＥが、アイドル・モード・シグナリング軽減（ＩＳＲ）メカニズムを使用して、前記第１の３ＧＰＰ通信ネットワーク及び前記第２の３ＧＰＰ通信ネットワークに登録され、
前記ベアラ削除要求メッセージまたは前記ＰＤＰコンテキスト削除メッセージは、前記ＵＥの前記ＩＳＲが不活性化されたことを指示するように構成された第２の指示情報を含む、請求項３または４に記載の方法。
【請求項６】
前記ＵＥが、アイドル・モード・シグナリング軽減（ＩＳＲ）メカニズムを使用して、前記第１の３ＧＰＰ通信ネットワーク及び前記第２の３ＧＰＰ通信ネットワークに登録され、
前記第２の３ＧＰＰ通信ネットワークの前記第２の移動性管理ＮＥに通知するために前記第１の３ＧＰＰ通信ネットワークによって送信されるメッセージは、前記ＵＥの前記ＩＳＲが不活性化されたことを指示するように構成された第２の指示情報を含む、請求項３または４に記載の方法。
【請求項７】
ピア・エンドポイント・ネットワーク要素（ＮＥ）から送信された指示情報を含むメッセージを受信するように構成された第１のメッセージ受信ユニットと、
前記第１のメッセージ受信ユニットによって受信された前記メッセージに従って、ユーザ設備（ＵＥ）のために第３世代パートナーシップ・プロジェクト（３ＧＰＰ）通信ネットワークによって確立されたネットワーク資源を削除するように構成された処理ユニットと、を含み、
前記処理ユニットが、
前記第１のメッセージ受信ユニットによって受信された前記メッセージの中の前記指示情報に従って、前記ＵＥのため前記３ＧＰＰアクセスネットワークによって確立された前記ネットワーク資源を削除するかどうかを判定するように構成された指示ビット分析ユニットと、
前記指示ビット分析ユニットの分析結果が肯定であるとき、前記サービングＧＷ上で前記ＵＥのため前記３ＧＰＰ通信ネットワークによって確立された前記ネットワーク資源を削除するように構成された資源削除ユニットと、
前記指示ビット分析ユニットの前記分析結果が肯定であるとき、前記ＵＥのため確立された前記ネットワーク資源を解放することを前記３ＧＰＰ通信ネットワークの移動性管理ＮＥに通知するように構成されたセッション・ネゴシエーション・ユニットと、
を含む、サービングゲートウェイ（サービングＧＷ）。
【請求項８】
前記セッション・ネゴシエーション・ユニットが、
前記ＵＥのため確立された前記ネットワーク資源を解放することを前記移動性管理ＮＥに通知するため、ベアラ削除要求メッセージまたはパケット・データ・プロトコル（ＰＤＰ）コンテキスト削除要求メッセージを前記３ＧＰＰ通信ネットワークの前記移動性管理ＮＥへ送信するように構成された送信ユニットと、
前記移動性管理ＮＥから返信されたベアラ削除応答メッセージまたはＰＤＰコンテキスト削除応答メッセージを受信するように構成された受信ユニットと、
を含む、請求項７に記載のサービングＧＷ。
【請求項９】
前記指示情報が、
前記ＵＥの通信ネットワークが前記３ＧＰＰ通信ネットワークから非３ＧＰＰ通信ネットワークへ移行したことを指示するように構成された第１の指示情報、または、
前記ＵＥのアイドル・モード・シグナリング軽減（ＩＳＲ）が不活性化されたことを指示するように構成された第２の指示情報、または、
最適化されたハンドオーバを指示するように構成された第３の指示情報
を含む、請求項７または８に記載のサービングＧＷ。
【請求項１０】
ユーザ設備（ＵＥ）が第１の第３世代パートナーシップ・プロジェクト（３ＧＰＰ）通信ネットワークから非３ＧＰＰ通信ネットワークへ移行したときに、前記第１の３ＧＰＰ通信ネットワークからメッセージを受信するように構成されたモジュールを含むサービングゲートウェイ（サービングＧＷ）であって、
前記サービングＧＷによって、前記第１の３ＧＰＰ通信ネットワークの第１の移動性管理ネットワーク要素（ＮＥ）に、前記第１の３ＧＰＰ通信ネットワークによって確立されたネットワーク資源を解放することを通知し、前記サービングＧＷによって、第２の３ＧＰＰ通信ネットワークの第２の移動性管理ＮＥに、前記第２の３ＧＰＰ通信ネットワークによって確立されたネットワーク資源を解放することを通知する方法、及び
前記サービングＧＷによって、前記第２の３ＧＰＰ通信ネットワークによって確立されたネットワーク資源を解放することを通知するためのメッセージを送信することが可能な前記第１の３ＧＰＰ通信ネットワークの第１の移動性管理ＮＥに、前記第１の３ＧＰＰ通信ネットワークによって確立されたネットワーク資源を解放することを通知する方法
のいずれか一方によって、前記ＵＥのため前記第１の３ＧＰＰ通信ネットワーク及び前記第２の３ＧＰＰ通信ネットワークによって確立されたネットワーク資源がメッセージに応じて削除される、
サービングＧＷ。
【発明の詳細な説明】
【技術分野】
【０００１】
本願は、参照によって全体がそのまま本明細書に組み込まれている、２００８年１月２１日に出願された“ＭＥＴＨＯＤ  ＡＮＤ  ＤＥＶＩＣＥ  ＯＦ  ＮＥＴＷＯＲＫ  ＲＥＳＯＵＲＣＥ  ＲＥＬＥＡＳＥ  ＰＲＯＣＥＳＳＩＮＧ”という名称の中国特許出願第２００８１００２５９４３．３号、および、２００８年９月８日に出願された“ＭＥＴＨＯＤ  ＡＮＤ  ＤＥＶＩＣＥ  ＯＦ  ＮＥＴＷＯＲＫ  ＲＥＳＯＵＲＣＥ  ＲＥＬＥＡＳＥ  ＰＲＯＣＥＳＳＩＮＧ”という名称の中国特許出願第２００８１０２１５８９８．９号の優先権の利益を主張する。
【０００２】
本発明は、電子通信の分野に関し、特に、ネットワーク資源解放処理、移動性管理ネットワーク要素（ＮＥ）、および、サービングゲートウェイ（サービングＧＷ）に関する。
【背景技術】
【０００３】
通信テクノロジーの開発と共に、将来のネットワークの競争力を高めるため、第３世代パートナーシッププロジェクト（３ＧＰＰ）は最新のエボリューションネットワークに達している。図１を参照すると、エボリューションネットワークのシステムアーキテクチャは以下の事項を含む。
【０００４】
エボリューション型ユニバーサル移動体通信システム（ＵＭＴＳ）地上波無線アクセスネットワーク（Ｅ−ＵＴＲＡＮ）は、エボリューションネットワークの無線関連機能を実装するように構成されている。移動性管理エンティティ（ＭＭＥ）は、ユーザのコンテキストおよび移動性状態の管理と、ユーザの一時アイデンティティの割当とを含む制御プレーンの移動性管理を担当する。サービングゲートウェイ（サービングＧＷ）は、３ＧＰＰ通信ネットワーク間のユーザ・プレーン・アンカー・ポイントであり、Ｅ−ＵＴＲＡＮに向かうインターフェイスを終端する。パケット・データ・ネットワーク・ゲートウェイ（ＰＤＮ  ＧＷ）は、３ＧＰＰ通信ネットワークと非３ＧＰＰ通信ネットワークとの間のユーザ・プレーン・アンカー・ポイントであり、外部ＰＤＮへ向かってインターフェイスを終端する。ポリシーおよび課金ルール機能（ＰＣＲＦ）は、ポリシー制御決定およびフローベース課金制御を含む機能を実行するように構成されている。ホーム・ユーザ・サーバ（ＨＳＳ）はユーザの加入者情報を記憶するように構成されている。
【０００５】
ＵＭＴＳ地上波無線アクセスネットワーク（ＵＴＲＡＮ）、および、グローバル移動体通信システム／ＧＳＭエボリューション型高速データレート（ＧＳＭ／ＥＤＧＥ）無線アクセスネットワーク（ＧＥＲＡＮ）は、既存の汎用パケット無線サービス（ＧＰＲＳ）／ＵＭＴＳネットワークにおいて無線関連機能を実装するように構成されている。サービングＧＰＲＳサポートノード（ＳＧＳＮ）は、ＧＰＲＳ／ＵＭＴＳネットワークにおいて、ルーティング転送、移動性管理、セッション管理、ユーザ情報保存、および、他の機能を実装するように構成されている。
【０００６】
非３ＧＰＰインターネットプロトコル通信ネットワーク（非３ＧＰＰ  ＩＰアクセス）は、非３ＧＰＰ組織によって規定された通信ネットワーク、たとえば、無線ローカル・エリア・ネットワーク（ＷＬＡＮ）、全世界相互運用マイクロ波アクセス（ＷｉＭＡＸ）、および、符号分割多重アクセス（ＣＤＭＡ）ネットワークである。
【０００７】
認証・認可・課金サーバ（ＡＡＡサーバ）は、ユーザ設備（ＵＥ）に関してアクセス認証・認可・課金機能を実行するように構成されている。
【０００８】
異なる通信ネットワーク間でのＵＥの移動性管理プロセスを低減するため、たとえば、ＧＥＲＡＮ／ＵＴＲＡＮとＥ−ＵＴＲＡＮとの間のシステム間移動（３ＧＰＰアクセスシステム間移動）のプロセスを低減するため、近年、アイドル・モード・シグナリング軽減（ＩＳＲ）メカニズムが３ＧＰＰ通信ネットワークにおいて使用される。
【０００９】
従来技術では、ＩＳＲメカニズムを使用するユーザが別の新ＭＭＥへ移動するとき、新ＭＭＥは、旧ＳＧＳＮおよび旧ＭＭＥからＵＥのコンテキスト情報を獲得する必要がある。そのとき、新ＭＭＥは、ＵＥがＩＳＲメカニズムを使用するかどうかを判断し、ＨＨＳにＩＳＲメカニズムの使用状況を通知する。ＨＨＳは、次に、旧ＭＭＥにユーザを切り離すことを通知する。
【発明の概要】
【発明が解決しようとする課題】
【００１０】
処理プロセスは３ＧＰＰ通信ネットワークにおける特有の処理プロセスである。ＵＥが非３ＧＰＰ通信ネットワークへ移動するとき、３ＧＰＰ通信ネットワークにおける特有の処理プロセスは、非３ＧＰＰ通信ネットワークにおいて処理できず、すなわち、３ＧＰＰ通信ネットワークの中でＵＥの資源が解放され得ない。
【課題を解決するための手段】
【００１１】
本発明は、ＩＳＲメカニズムを使用するＵＥが３ＧＰＰ通信ネットワークから非３ＧＰＰ通信ネットワークへ移行するとき資源を解放するように、ネットワーク資源解放処理の方法、移動性管理ＮＥ、及び、サービングＧＷを対象にする。
【００１２】
第１の態様として、本発明は、以下のステップを含むネットワーク資源解放処理の方法を提供する。
【００１３】
ＩＳＲメカニズムを使用するＵＥが２つの３ＧＰＰ通信ネットワークに登録した後、ＵＥが３ＧＰＰネットワークから非３ＧＰＰ通信ネットワークへ移行するとき、サービングＧＷはピアエンドポイントＮＥから送信されたメッセージを受信し、メッセージに従ってＵＥのため２つの３ＧＰＰ通信ネットワークによって確立されたネットワーク資源を削除する。
【００１４】
第２の態様として、本発明は、第１のメッセージ受信ユニットと処理ユニットとを含むサービングＧＷを提供する。
【００１５】
第１のメッセージ受信ユニットは、ピアエンドポイントＮＥから送信された指示情報を含むメッセージを受信するように構成されている。
【００１６】
処理ユニットは、第１のメッセージ受信ユニットによって受信されたメッセージに従ってＵＥのため３ＧＰＰ通信ネットワークによって確立されたネットワーク資源を削除するように構成されている。
【００１７】
第３の態様として、本発明は、第２のメッセージ受信ユニットと、資源解放ユニットと、メッセージ送信ユニットとを含む移動性管理ＮＥを提供する。
【００１８】
第２のメッセージ受信ユニットは、非３ＧＰＰ通信ネットワークから送信されたハンドオーバ終了メッセージを受信するように構成されている。
【００１９】
資源解放ユニットは、第２のメッセージ受信ユニットがハンドオーバ終了メッセージを受信した後に、ＵＥのため３ＧＰＰ通信ネットワークによって確立された資源を解放するように構成されている。
【００２０】
メッセージ送信ユニットは、指示情報を含むメッセージをサービングＧＷへ送信し、ＵＥのため確立されたネットワーク資源を解放することをサービングＧＷに通知するように構成されている。
【００２１】
資源解放処理の方法および装置を通じて、本発明によってＩＳＲメカニズムを使用するＵＥが非３ＧＰＰ通信ネットワークへ移行するとき、ＩＳＲメカニズムを使用するユーザが、３ＧＰＰ通信ネットワークから非３ＧＰＰ通信ネットワークへ移動した後にプロセスを実行できないという従来技術の問題は解決され、ユーザによって占有されたネットワーク資源は、ＩＳＲメカニズムを使用するＵＥが３ＧＰＰ通信ネットワークから非３ＧＰＰ通信ネットワークへ移行するとき、解放され、それによって、システム処理能力を改善し、ユーザのためのサービス品質（ＱｏＳ）を確実にする。
【図面の簡単な説明】
【００２２】
【図１】図１は、３ＧＰＰにおいて規定されたエボリューションネットワークのシステムアーキテクチャ図である。
【図２】図２は、本発明によるネットワーク資源解放処理の方法の第１の実施形態のフローチャートである。
【図３】図３は、本発明によるネットワーク資源解放処理の方法の第２の実施形態のフローチャートである。
【図４】図４は、本発明によるネットワーク資源解放処理の方法の第３の実施形態のフローチャートである。
【図５】図５は、本発明によるネットワーク資源解放処理の方法の第４の実施形態のフローチャートである。
【図６】図６は、本発明によるネットワーク資源解放処理の方法の第５の実施形態のフローチャートである。
【図７】図７は、本発明によるネットワーク資源解放処理の方法の第６の実施形態のフローチャートである。
【図８】図８は、本発明によるネットワーク資源解放処理の方法の第７の実施形態のフローチャートである。
【図９】図９は、本発明の１実施形態によるサービングＧＷの略構成図である。
【図１０】図１０は、本発明の１実施形態による移動性管理ＮＥの略構成図である。
【発明を実施するための形態】
【００２３】
本発明は、以下のステップを含むネットワーク資源解放処理の方法を提供する。
【００２４】
ＩＳＲメカニズムを使用するＵＥが２つの３ＧＰＰ通信ネットワークに登録した後、ＵＥが（ハンドオーバされる場合を含む）３ＧＰＰ通信ネットワークから非３ＧＰＰ通信ネットワークへ移行するとき（特に、ＵＥが非３ＧＰＰネットワークへ移動するとき、ＵＥが非３ＧＰＰネットワークにおいて非３ＧＰＰネットワークに加わる処理プロセスを開始する、または、ＵＥが３ＧＰＰネットワークにおいて非３ＧＰＰネットワークに加わる処理プロセスを開始する）、サービングＧＷがピアエンドポイントＮＥから送信されたメッセージを受信し、メッセージに含まれる情報に従ってＵＥのため２つの３ＧＰＰ通信ネットワークによって確立されたネットワーク資源を削除する。
【００２５】
ピアエンドポイントＮＥから送信され、サービングＧＷによって受信されたメッセージは、限定されることはないが、以下の２つの様態を含む。
【００２６】
様態１では、ピアエンドポイントＮＥがＰＤＮ  ＧＷであるとき、ピアエンドポイントＮＥから送信されたメッセージは、ベアラ削除要求メッセージまたはバインディング取消指示メッセージである。
【００２７】
様態２では、ピアエンドポイントＮＥが３ＧＰＰ通信ネットワークの移動性管理ＮＥであるとき、ピアエンドポイントＮＥから送信されたメッセージはベアラ削除要求メッセージまたはパケット・データ・プロトコル（ＰＤＰ）コンテキスト削除要求メッセージである。
【００２８】
様態２は特に以下の様態を含む。
【００２９】
様態２．１では、ＨＳＳは、ベアラ削除要求メッセージまたはＰＤＰコンテキスト削除要求メッセージをサービングＧＷへ送信するために３ＧＰＰ通信ネットワークの移動性管理ＮＥをトリガーする。
【００３０】
様態２．２では、非３ＧＰＰ通信ネットワークは、ベアラ削除要求メッセージまたはＰＤＰコンテキスト削除要求メッセージをサービングＧＷへ送信するために３ＧＰＰ通信ネットワークの移動性管理ＮＥをトリガーする。
【００３１】
以下では、ＩＳＲメカニズムを使用するＵＥが３ＧＰＰ通信ネットワークから非３ＧＰＰ通信ネットワークへ移行するときの資源解放処理の方法、移動性管理ＮＥ、および、サービングＧＷの技術的解決法が添付図面と共に詳細に記載されている。
【００３２】
様態１では、ピアエンドポイントＮＥがＰＤＮ  ＧＷであるとき、ピアエンドポイントＮＥから送信されたメッセージは、ベアラ削除要求メッセージまたはバインディング取消指示メッセージである。
【００３３】
図２は本発明によるネットワーク資源解放処理の方法の第１の実施形態のフローチャートである。図２を参照すると、本実施形態では、２つの３ＧＰＰ通信ネットワークの移動性管理ＮＥに関して、第２の３ＧＰＰ通信ネットワークの移動性管理ＮＥは旧ＳＧＳＮであり、第１の３ＧＰＰ通信ネットワークの移動性管理ＮＥは旧ＭＭＥである。３ＧＰＰ通信ネットワークにおいてＩＳＲメカニズムを使用するＵＥが３ＧＰＰネットワークから非３ＧＰＰネットワークへ移動するとき、ＰＤＮ  ＧＷは資源解放プロセスを実行する。この方法は以下のステップを含む。
【００３４】
ステップＳ１において、ＵＥは、３ＧＰＰネットワークにおいてサービスプロセスを実行し、３ＧＰＰ通信ネットワークから非３ＧＰＰ通信ネットワークへ移動するとき、アタッチ・セッション・ネゴシエーション手続を開始する。
【００３５】
ステップＳ２において、ＰＤＮ  ＧＷは、メッセージをサービングＧＷへ送信し、ここで、サービングＧＷとＰＤＮ  ＧＷとの間のインターフェイスプロトコルがＧＰＲＳトンネリングプロトコル（ＧＴＰ）であるとき、メッセージがベアラ削除要求メッセージであり、サービングＧＷとＰＤＮ  ＧＷとの間のインターフェイスプロトコルがプロキシ・モバイル・インターネット・プロトコル（ＰＭＩＰ）であるとき、メッセージがバインディング取消指示メッセージである。ＰＤＮ  ＧＷは、ベアラ削除要求メッセージまたはバインディング取消指示メッセージの中に第１の指示情報を含むことがあり、第１の指示情報は、ＵＥの通信ネットワークが３ＧＰＰ通信ネットワークから非３ＧＰＰネットワークへ移行することを指示するように構成され、すなわち、ベアラ削除要求メッセージまたはバインディング取消指示メッセージは、ＵＥが３ＧＰＰ通信ネットワークから非３ＧＰＰ通信ネットワークへ移行することによって生じる。指示情報を処理する特有の方法は後述される。
【００３６】
原因ＩＥは、ＵＥが３ＧＰＰ通信ネットワークから非３ＧＰＰ通信ネットワークへ移行することによってプロセスが生じたことを示すため、特定の原因値（たとえば、３ＧＰＰから非３ＧＰＰへのＲＡＴ間移行）に設定される。
【００３７】
代替的に、特定の指示ビットＩＥ（たとえば、３ＧＰＰから非３ＧＰＰへのＲＡＴ間移行）が、ＵＥが３ＧＰＰ通信ネットワークから非３ＧＰＰ通信ネットワークへ移行することによってプロセスが生じたことを示すため設定される。
【００３８】
代替的に、削除タイプまたは取消タイプＩＥは、ＵＥが３ＧＰＰ通信ネットワークから非３ＧＰＰ通信ネットワークへ移行することによってプロセスが生じたことを特定するために、特定の値（たとえば、１）に設定される。
【００３９】
ステップＳ３では、ベアラ削除要求またはバインディング取消指示メッセージを受信した後、メッセージの中の第１の指示情報に従って、サービングＧＷは、ＵＥが３ＧＰＰ通信ネットワークから非３ＧＰＰ通信ネットワークへ移行したと判断し、サービングＧＷは、ＵＥがＩＳＲメカニズムを使用していることを見出すので、サービングＧＷはＵＥのＩＳＲメカニズムを不活性化することに決定（すなわち、サービングＧＷは、ＵＥが３ＧＰＰ通信ネットワークおよび非３ＧＰＰ通信ネットワークにおいてＩＳＲメカニズムを使用しないことを決定）し、３ＧＰＰ通信ネットワークと資源解放プロセスについてセッションネゴシエーションを実行し、３ＧＰＰにおいてＵＥの資源を解放する。
【００４０】
ＰＤＮ  ＧＷがベアラ削除要求またはバインディング取消指示メッセージの中に第１の指示を含まないとき、サービングＧＷがＵＥのすべてのベアラがＰＤＮ  ＧＷによって解放されることが要求されたことを見出した後、サービングＧＷは、ベアラ解放はＵＥが３ＧＰＰ通信ネットワークから非３ＧＰＰ通信ネットワークへ移行したことによって生じたとみなすことに注意されたい。
【００４１】
ステップＳ４において、３ＧＰＰ通信ネットワークとのセッションネゴシエーションを終了した後、サービングＧＷは、サービングＧＷ上の３ＧＰＰ通信ネットワークにおけるＵＥの資源（ユーザプレーン資源および制御プレーン資源を含む）を解放し、応答メッセージ、たとえば、ベアラ削除応答メッセージまたはバインディング取消承認メッセージをＰＤＮ  ＧＷへ返信する。
【００４２】
応答メッセージを受信した後、ＰＤＮ  ＧＷは、ＰＤＮ  ＧＷ上のＵＥの３ＧＰＰネットワーク資源を解放し、目的の非３ＧＰＰ通信ネットワークにおいて資源を予約し、同時に、ＵＥのためＰＤＮ  ＧＷによって割り当てられた資源、たとえば、ＩＰアドレスを予約する。
【００４３】
図２を参照すると、ステップＳ１におけるアタッチ・セッション・ネゴシエーション手続は特に以下のステップを含む。
【００４４】
ステップＳ１０１において、ＵＥは、第１の３ＧＰＰ通信ネットワークの旧ＭＭと第２の３ＧＰＰ通信ネットワークの旧ＳＧＳＮとに登録し、旧ＳＧＳＮと旧ＭＭＥとの間でＩＳＲメカニズムを使用し、サービングＧＷおよびＰＤＮ  ＧＷを介してサービスプロセスを実行する。
【００４５】
ステップＳ１０２において、ＵＥは、非３ＧＰＰ通信ネットワークへ移動し、非３ＧＰＰ通信ネットワークを介して、非３ＧＰＰ通信ネットワークの特定のアタッチ手続と、認可および認証プログラムとを実行する。
【００４６】
ステップＳ１０３において、非３ＧＰＰ  ＧＷは、非３ＧＰＰ通信ネットワークの中でＵＥによって使用されるポリシーおよび課金制御（ＰＣＣ）ルールを獲得するため、ゲートウェイ制御およびＱｏＳポリシールール要求メッセージをＰＣＲＦへ送信する。ＰＣＲＦは、非３ＧＰＰ通信ネットワークの中でＵＥによって使用されるＰＣＣルールを含む、ゲートウェイ制御およびＱｏＳポリシールール応答メッセージを非３ＧＰＰ  ＧＷへ返信する。
【００４７】
このステップでは、ＷＬＡＮシステムに対し、非３ＧＰＰ  ＧＷは、エボリューション型パケット・データ・ゲートウェイ（ＥＰＤＧ）であり、ＷｉＭＡＸシステムに対し、非３ＧＰＰ  ＧＷは、アクセス・サービス・ネットワーク・ゲートウェイ（ＡＳＮ  ＧＷ）であり、ＣＤＭＡシステムに対し、非３ＧＰＰ  ＧＷはアクセスゲートウェイ（ＡＧＷ）であり、高速パケット・データ（ＨＰＲＤ）ネットワークに対し、非３ＧＰＰ  ＧＷはパケット・データ・サービングノード（ＰＤＳＮ）である。
【００４８】
注：ＰＤＳＮは、いくつかのプロトコルでは、ＨＲＰＤサービングゲートウェイ（ＨＰＲＤサービングＧＷ）であるとして記載されている。
【００４９】
ステップＳ１０４において、ＵＥはレイヤ３アタッチメント手続をトリガーする。
【００５０】
ステップＳ１０５において、非３ＧＰＰ  ＧＷとＰＤＮ  ＧＷとの間のインターフェイスがＰＭＩＰプロトコルを使用するならば、非３ＧＰＰ  ＧＷは、プロキシバインディング更新（ＢＵ）メッセージをＰＤＮ  ＧＷへ送信する。ＵＥとＰＤＮ  ＧＷとの間のインターフェイスがクライアント・モバイル・インターネット・プロトコル（ＣＭＩＰ）を使用するならば、ＵＥはＢＵメッセージをＰＤＮ  ＧＷへ送信する。
【００５１】
ステップＳ１０６において、メッセージを受信した後、ＰＤＮ  ＧＷは、ＧＷに保存されていたＵＥのＰＣＣルールを獲得し、ＰＣＣルールがＩＰ接続性アクセスネットワーク（ＩＰ−ＣＡＮ）のアクセスタイプに関連しているかどうかを判断する。もし、そうであるならば、ＰＤＮ  ＧＷは、非３ＧＰＰ通信ネットワークの中でＵＥによって使用されるＰＣＣルールを獲得するためＩＰ−ＣＡＮセッション修正要求メッセージをＰＣＲＦへ送信する。ＰＣＲＦは、非３ＧＰＰ通信ネットワークの中でＵＥによって使用されるＰＣＣルールを含むＩＰ−ＣＡＮセッション修正承認メッセージをＰＤＮ  ＧＷへ返信する。
【００５２】
ステップＳ１０７において、ＰＤＮ  ＧＷはプロキシバインディング承認（ＢＡ）メッセージを非３ＧＰＰ  ＧＷへ返信するか、または、ＰＤＮ  ＧＷはＢＡメッセージをＵＥへ返信する。
【００５３】
ステップＳ１０８において、非３ＧＰＰ  ＧＷは、レイヤ３アタッチメントが終了したことをＵＥに知らせる。
【００５４】
図２を参照すると、ステップＳ３は特に以下のステップを含む。
【００５５】
ステップＳ３０１において、サービングＧＷが、ＰＤＮ  ＧＷから送信されたメッセージの中の第１の指示情報に従って、ＵＥが３ＧＰＰ通信ネットワークから非３ＧＰＰ通信ネットワークへ移行したと判断した後、サービングＧＷは、ベアラ削除要求メッセージまたはＰＤＰコンテキスト削除要求メッセージを第１の３ＧＰＰ通信ネットワークの旧ＭＭＥおよび第２の３ＧＰＰ通信ネットワークの旧ＳＧＳＮへ送信する。サービングＧＷは、ＵＥが３ＧＰＰ通信ネットワークから非３ＧＰＰ通信ネットワークへ移行したことにより、ベアラ削除要求メッセージまたはＰＤＰコンテキスト削除要求メッセージが生じたことを通知するように、ベアラ削除要求メッセージまたはＰＤＰコンテキスト削除要求メッセージの中に第１の指示情報を含んでもよい。第１の指示情報を処理する特有の様態は後述の通りである。
【００５６】
原因ＩＥは、ＵＥが３ＧＰＰ通信ネットワークから非３ＧＰＰ通信ネットワークへ移行したことによってプロセスが生じたことを通知するように、特定の原因値（たとえば、３ＧＰＰから非３ＧＰＰへのＲＡＴ間移行）に設定される。
【００５７】
代替的に、特定の指示ビットＩＥ（たとえば、３ＧＰＰから非３ＧＰＰへのＲＡＴ間移行）は、ＵＥが３ＧＰＰ通信ネットワークから非３ＧＰＰ通信ネットワークへ移行したことによってプロセスが生じたことを通知するように設定される。
【００５８】
代替的に、削除タイプＩＥが、ＵＥが３ＧＰＰ通信ネットワークから非３ＧＰＰ通信ネットワークへ移行したことによってプロセスが生じたことを特定するように、特定の値（たとえば、１）に設定される。
【００５９】
サービングＧＷは、ＵＥのＩＳＲメカニズムが不活性化されたことによってベアラ削除要求メッセージまたはＰＤＰコンテキスト削除要求メッセージが生じたことを通知するように、ベアラ削除要求メッセージまたはＰＤＰコンテキスト削除要求メッセージの中に第２の指示情報をさらに含むことがある。第２の指示情報を処理する特有の様態は後述の通りである。
【００６０】
原因ＩＥは、ＵＥのＩＳＲメカニズムが不活性化されたことによってベアラ削除要求メッセージまたはＰＤＰコンテキスト削除要求メッセージが生じたことを通知するように特定の原因値（たとえば、ＩＳＲ不活性）に設定される。
【００６１】
代替的に、ＵＥのＩＳＲメカニズムが不活性化されたことによってベアラ削除要求メッセージまたはＰＤＰコンテキスト削除要求メッセージが生じたことを通知するように、特定の指示ビットＩＥまたは識別ＩＥ（たとえば、ＩＳＲ不活性）が設定される。
【００６２】
代替的に、削除タイプＩＥが、ＵＥのＩＳＲメカニズムが不活性化されたことによってベアラ削除要求メッセージまたはＰＤＰコンテキスト削除要求メッセージが生じたことを特定するように、特定の値（たとえば、２）に設定される。
【００６３】
ステップＳ３０２において、サービングＧＷから送信されたベアラ削除要求メッセージまたはＰＤＰコンテキスト削除要求メッセージを受信した後、旧ＳＧＳＮおよび旧ＭＭＥは、第１の指示情報または第２の指示情報に従って、ＵＥの通信ネットワークが３ＧＰＰ通信ネットワークから非３ＧＰＰ通信ネットワークへ移行したこと、または、ＵＥのＩＳＲメカニズムが不活性化されたことを検出し、旧ＳＧＳＮおよび旧ＭＭＥは３ＧＰＰネットワークの中のＵＥの資源を解放する。このプロセスは後述の通りである。
【００６４】
ＵＥは切り離され、ＵＥの状態が「ＥＭＭ−ＤＥＲＥＧＩＳＴＥＲＥＤ」状態に設定される。
【００６５】
ＵＥの状態が旧ＳＧＳＮまたは旧ＭＭＥにおいて活性化状態、または、接続状態であるならば、旧ＳＧＳＮおよび旧ＭＭＥは、３ＧＰＰ通信ネットワークのＮＥに資源（接続資源およびベアラ資源を含む）を解放すべきことを通知する。
【００６６】
代替的に、ＵＥの状態が旧ＳＧＳＮまたは旧ＭＭＥにおいてアイドル状態であるならば、旧ＳＧＳＮおよび旧ＭＭＥはページングプロセスをトリガーせずに、そのまま資源を局所的に削除する。
【００６７】
旧ＳＧＳＮおよび旧ＭＭＥは、ベアラ削除応答メッセージまたはＰＤＰコンテキスト削除応答メッセージをサービングＧＷへ返信する。
【００６８】
サービングＧＷがベアラ削除要求メッセージまたはＰＤＰコンテキスト削除要求メッセージの中に第１の指示情報または第２の指示情報を含まないとき、旧ＭＭＥおよび旧ＳＧＳＮがＵＥのすべてのベアラがサービングＧＷによって解放されることが要求されたことを検出した後、旧ＭＭＥおよび旧ＳＧＳＮは、ＵＥが３ＧＰＰ通信ネットワークから非３ＧＰＰネットワークへ移行するか、または、ＵＥのＩＳＲメカニズムが不活性化されたことによってベアラ解放が生じたとみなすことに注意を要する。
【００６９】
上記のステップにおいて、旧ＳＧＳＮまたは旧ＭＭＥが、ＵＥが携帯電話加入者のための回路スイッチング呼び出し機能および移動性管理機能を主として提供するモバイル・スイッチング・センタ（ＭＳＣ）に登録したことを検出した場合、ＭＭＥまたはＳＧＳＮがＵＥを切り離し、ＵＥが３ＧＰＰ通信ネットワークから非３ＧＰＰ通信ネットワークへ移行することによってＵＥの切り離しが生じたとき、旧ＳＧＳＮまたは旧ＭＭＥは、ＭＳＣにＵＥを切り離すことを指示するように、国際携帯電話加入者識別（ＩＭＳＩ）デタッチ指示メッセージをＭＳＣへ送信する。
【００７０】
図３は本発明によるネットワーク資源解放処理の方法の第２の実施形態のフローチャートである。図３を参照すると、本実施形態では、第２の３ＧＰＰ通信ネットワークの移動性管理ＮＥは旧ＳＧＳＮであり、第１の３ＧＰＰ通信ネットワークの移動性管理ＮＥは旧ＭＭＥである。ＩＳＲメカニズムを使用するＵＥが３ＧＰＰネットワークから非３ＧＰＰネットワークへ移動した後、ＵＥは非３ＧＰＰネットワークを介してアタッチメント手続を開始する。その後、資源解放プロセスが実行される。この方法は以下のステップを含む。
【００７１】
ステップｓ１において、ＵＥは３ＧＰＰ通信ネットワークの中でサービスプロセスを実行し、３ＧＰＰ通信ネットワークから非３ＧＰＰ通信ネットワークへ移動するときにアタッチ・セッション・ネゴシエーション手続を開始する。ステップｓ１は以下のステップを含む。
【００７２】
ステップｓ１０１において、ＵＥは第１の３ＧＰＰ通信ネットワークの旧ＭＭＥおよび第２の３ＧＰＰ通信ネットワークの旧ＳＧＳＮに登録し、旧ＳＧＳＮと旧ＭＭＥとの間でＩＳＲメカニズムを使用し、サービングＧＷおよびＰＤＮ  ＧＷを介してサービスプロセスを実行する。
【００７３】
ステップｓ１０２において、ＵＥは非３ＧＰＰ通信ネットワークへ移動し、非３ＧＰＰ通信ネットワークを介して、非３ＧＰＰ通信ネットワークの特定のアタッチメント手続と許可および認証プログラムとを実行する。後続のプロセスは、第１の実施形態のステップＳ１０３〜１０８と同じであるので、ここで説明されていない。
【００７４】
ステップｓ２において、ＰＤＮ  ＧＷは、サービングＧＷとＰＤＮ  ＧＷとの間のインターフェイスプロトコルがＧＴＰプロトコルであるときに、ベアラ削除要求メッセージであるメッセージをサービングＧＷへ送信し、サービングＧＷとＰＤＮ  ＧＷとの間のインターフェイスプロトコルがＰＭＩＰプロトコルであるときに、バイディング取消指示メッセージであるメッセージをサービングＧＷへ送信する。ＰＤＮ  ＧＷはメッセージの中に第１の指示情報を含めることがあり、第１の指示情報は、ＵＥの通信ネットワークが３ＧＰＰ通信ネットワークから非３ＧＰＰネットワークへ移行することを指示するように構成され、すなわち、ＵＥが３ＧＰＰ通信ネットワークから非３ＧＰＰ通信ネットワークへ移行することによってベアラ削除要求メッセージまたはバインディング取消指示メッセージが生じる。指示情報を処理する特有の態様は第１の実施形態のステップＳ２における説明と同じであるので、ここで説明されていない。
【００７５】
ステップｓ３において、ベアラ削除要求またはバインディング取消指示メッセージを受信した後、サービングＧＷは、メッセージの中の第１の指示情報に従って、ＵＥが３ＧＰＰ通信ネットワークから非３ＧＰＰ通信ネットワークへ移行したと判断し（ＰＤＮ  ＧＷがベアラ削除要求またはバインディング取消指示メッセージの中に第１の指示情報を含めないとき、サービングＧＷが、ＵＥのすべてのベアラがＰＤＮ  ＧＷによって解放されることが要求されたことを検出した後、サービングＧＷは、ＵＥが３ＧＰＰ通信ネットワークから非３ＧＰＰ通信ネットワークへ移行したことによってベアラ解放が生じたとみなす）、サービングＧＷは、３ＧＰＰ通信ネットワークと資源解放プロセスに関するセッションネゴシエーションを実行し、３ＧＰＰの中でＵＥの資源を解放する。このステップは以下のステップを含む。
【００７６】
ステップｓ３０１において、サービングＧＷは、ベアラ削除要求メッセージまたはＰＤＰコンテキスト削除要求メッセージを第１の３ＧＰＰ通信ネットワークの旧ＭＭＥおよび第２の３ＧＰＰ通信ネットワークの旧ＳＧＳＮへ送信する。サービングＧＷは、ベアラ削除要求メッセージまたはＰＤＰコンテキスト削除要求メッセージの中に第１の指示情報または第２の指示情報を含めることがある。第１の指示情報または第２の指示情報を処理する特有の態様は第１の実施形態のステップＳ３０１における説明と同じであるので、ここで説明されていない。
【００７７】
本発明の実施形態では、サービングＧＷがベアラ削除要求メッセージまたはＰＤＰコンテキスト削除要求メッセージを第２の３ＧＰＰ通信ネットワークの旧ＳＧＳＮへ送信するプロセスは、サービングＧＷがベアラ削除要求メッセージまたはＰＤＰコンテキスト削除要求メッセージを第１の３ＧＰＰ通信ネットワークの旧ＭＭＥへ送信するプロセスと同じであることに注意されたい。本実施形態では、サービングＧＷがベアラ削除要求メッセージを第１の３ＧＰＰ通信ネットワークの旧ＭＭＥへ送信するプロセスだけが説明のための実施例として設定されている。サービングＧＷがベアラ削除要求メッセージを旧ＳＧＳＮへ送信する状況はここで説明されていない。
【００７８】
ステップｓ３０２において、サービングＧＷから送信されたベアラ削除要求メッセージを受信した後、第１の指示情報または第２の指示情報に従って、第１の３ＧＰＰ通信ネットワークの旧ＭＭＥは、ＵＥが３ＧＰＰ通信ネットワークから非３ＧＰＰ通信ネットワークへ移行したこと、または、ＵＥのＩＳＲメカニズムが不活性化されたことによってベアラ削除が生じたことを検出し（サービングＧＷがベアラ削除要求の中に第１の指示情報または第２の指示情報を含まないとき、第１の３ＧＰＰ通信ネットワークの旧ＭＭＥが、ＵＥのすべてのベアラがサービングＧＷによって解放されることが要求されたことを検出した後、第１の３ＧＰＰ通信ネットワークの旧ＭＭＥは、ＵＥが３ＧＰＰ通信ネットワークから非３ＧＰＰ通信ネットワークへ移行するか、または、ＵＥのＩＳＲメカニズムが不活性化されたことによって、ベアラ解放が生じたとみなす）、第１の３ＧＰＰ通信ネットワークの旧ＭＭＥはＵＥがＩＳＲメカニズムを使用することを検出し、第１の３ＧＰＰ通信ネットワークの旧ＭＭＥがＵＥのＩＳＲメカニズムを不活性化にし、第２の３ＧＰＰ通信ネットワークの旧ＳＧＳＮにユーザを切り離し、資源を解放することを通知する。旧ＭＭＥは、ユーザを切り離し、資源を解放することを旧ＳＧＳＮに通知するため、デタッチ要求メッセージを第２の３ＧＰＰ通信ネットワークの旧ＳＧＳＮへ送信することがある。旧ＭＭＥは、第１の指示情報または第２の指示情報をデタッチ要求メッセージに含めることがある。第１の指示情報を処理する特有の態様は後述の通りである。
【００７９】
原因ＩＥは、ＵＥが３ＧＰＰ通信ネットワークから非３ＧＰＰ通信ネットワークへ移行したことによってデタッチ要求メッセージが生じたことを指示するように、特定の原因値（たとえば、３ＧＰＰから非３ＧＰＰへのＲＡＴ間移行）に設定される。
【００８０】
代替的に、特定の指示ビットＩＥ（たとえば、３ＧＰＰから非３ＧＰＰへのＲＡＴ間移行）が、ＵＥが３ＧＰＰ通信ネットワークから非３ＧＰＰ通信ネットワークへ移行したことによってデタッチ要求メッセージが生じたことを指示するように設定される。
【００８１】
代替的に、削除タイプＩＥは、ＵＥが３ＧＰＰ通信ネットワークから非３ＧＰＰ通信ネットワークへ移行することによってデタッチ要求メッセージが生じたことを特定するように特定の値（たとえば、１）に設定される。
【００８２】
第２の指示情報はＵＥのＩＳＲメカニズムが不活性化されたことによって要求メッセージが生じたことを指示するように構成される。特有のプロセスは詳細に後述される。
【００８３】
原因ＩＥは、ＵＥのＩＳＲメカニズムが不活性化されたことによってデタッチ要求メッセージが生じたことを指示するように特定の値（たとえば、ＩＳＲ不活性）に設定される。
【００８４】
代替的に、特定の指示ビットＩＥまたは識別ＩＥ（たとえば、ＩＳＲ不活性）は、ＵＥのＩＳＲメカニズムが不活性化されたことによってデタッチ要求メッセージが生じたことを指示するように設定される。
【００８５】
代替的に、削除タイプＩＥは、ＵＥのＩＳＲメカニズムが不活性化されたことによってデタッチ要求メッセージが生じたことを指示するように特定の値（たとえば、２）に設定される。
【００８６】
旧ＭＭＥは、ユーザを切り離し、資源を解放することを旧ＳＧＳＮに通知するためさらに他のメッセージを送信することがあり、たとえば、旧ＭＭＥは、ユーザを切り離し、資源を解放することを旧ＳＧＳＮに通知するため資源削除要求またはデタッチ指示メッセージを旧ＳＧＳＮへ送信することに注意されたい。
【００８７】
ステップｓ３０３において、第２の３ＧＰＰ通信ネットワークの旧ＳＧＳＮがデタッチ要求メッセージを受信した後、以下のプロセスが実行される。
【００８８】
デタッチ要求メッセージが、ＵＥが３ＧＰＰ通信ネットワークから非３ＧＰＰ通信ネットワークへ移行することによって、または、ＩＳＲが停止状態にされることによってデタッチ要求が生じたことを指示する指示情報を含まないとき、旧ＳＧＳＮは、ＰＤＰコンテキスト削除要求（またはベアラ削除要求）メッセージをサービングＧＷへ送信し、サービングＧＷから返信されたＰＤＰコンテキスト応答（またはベアラ削除応答）を受信した後、旧ＳＧＳＮは局所的にユーザを切り離し、ベアラコンテキスト資源を削除し、ＵＥの状態を「ＥＭＭ−ＤＥＲＥＧＩＳＴＥＲＥＤ」状態に設定する。
【００８９】
代替的に、デタッチ要求メッセージが、ＵＥが３ＧＰＰ通信ネットワークから非３ＧＰＰ通信ネットワークへ移行したことによって、または、ＩＳＲが不活性化されたことによってデタッチ要求が生じたことを指示する指示情報を含み、サービングＧＷが、旧ＳＧＳＮによって資源解放を通知されることなく、すべての資源を解放するとき、旧ＳＧＳＮは、ＰＤＰコンテキスト削除要求（またはベアラ削除要求）メッセージをサービングＧＷへ送信しないが、局所的にユーザを切り離し、ベアラコンテキスト資源を削除し、ＵＥの状態を「ＥＭＭ−ＤＥＲＥＧＩＳＴＥＲＥＤ」状態に設定する。
【００９０】
代替的に、デタッチ要求メッセージが、ＵＥが３ＧＰＰ通信ネットワークから非３ＧＰＰ通信ネットワークへ移行したことによって、または、ＩＳＲが不活性化されたことによってデタッチ要求が生じたことを指示する指示情報を含み、サービングＧＷが、旧ＳＧＳＮによって資源解放を通知された後に、すべての資源を解放するとき、旧ＳＧＳＮは、ＰＤＰコンテキスト削除要求（またはベアラ削除要求）メッセージをサービングＧＷへ送信し、サービングＧＷから返信されたＰＤＰコンテキスト応答（またはベアラ削除応答）を受信した後、旧ＳＧＳＮは、局所的にユーザを切り離し、ベアラコンテキスト資源を削除し、ＵＥの状態を「ＥＭＭ−ＤＥＲＥＧＩＳＴＥＲＥＤ」状態に設定する。
【００９１】
ステップｓ３０４において、旧ＳＧＳＮはデタッチ応答メッセージを旧ＭＭＥへ送信する。
【００９２】
ステップｓ３０５において、デタッチ応答メッセージを受信した後、旧ＳＧＳＮは局所的にユーザを切り離し、ベアラコンテキスト資源を削除し（旧ＳＧＳＮは、サービングＧＷから送信されたベアラ削除要求メッセージを受信した後にベアラコンテキスト資源を解放してもよい）、ＵＥの状態を「ＥＭＭ−ＤＥＲＥＧＩＳＴＥＲＥＤ」状態に設定し、ベアラ削除応答メッセージをサービングＧＷへ返信する。
【００９３】
ステップｓ４において、３ＧＰＰ通信ネットワークとのセッションネゴシエーションを終了した後、サービングＧＷは、サービングＧＷ上で３ＧＰＰ通信ネットワークの中のＵＥの（ユーザプレーン資源及び制御プレーン資源を含む）資源を解放し、ベアラ削除応答メッセージまたはバインディング取消承認メッセージをＰＤＮ  ＧＷへ返信する。
【００９４】
ベアラ削除応答メッセージまたはバインディング取消承認メッセージを受信した後、ＰＤＮ  ＧＷはＰＤＮ  ＧＷ上でＵＥの３ＧＰＰネットワーク資源を解放し、目的の非３ＧＰＰ通信ネットワークの中の資源を予約し、同時に、ＩＰアドレスのような、ＵＥのためＰＤＮ  ＧＷによって割り当てられた資源を予約する。
【００９５】
本実施形態では、サービングＧＷが、ＵＥが３ＧＰＰ通信ネットワークから非３ＧＰＰ通信ネットワークへ移行することによってベアラ削除が生じたことを検出し、サービングＧＷが、ＵＥがＩＳＲメカニズムを使用することを検出したとき、サービングＧＷは以下のプロセス態様を有している。
【００９６】
旧ＭＭＥから送信されたベアラ削除応答メッセージを受信した後、サービングＧＷはサービングＧＷにおけるユーザプレーン資源および制御プレーン資源（たとえば、旧ＭＭＥおよび旧ＳＧＳＮへ向かうサービングＧＷのベアラコンテキストと、制御プレーン資源と）を含むＵＥのすべての資源を解放し、旧ＳＧＳＮはベアラ資源解放を通知する必要がない。
【００９７】
代替的に、サービングＧＷは、ＵＥのＩＳＲメカニズムを不活性化にし、旧ＭＭＥに関連したサービングＧＷにおける資源（たとえば、旧ＭＭＥへ向かうサービングＧＷの制御プレーン資源）を削除するが、サービングＧＷはＵＥによって使用されるベアラコンテキストを削除せず、旧ＳＧＳＮへ向かうサービングＧＷの制御プレーン資源を削除しない。サービングＧＷは、旧ＳＧＳＮから送信されたベアラ削除要求メッセージを受信した後、サービングＧＷにおけるＵＥのすべての資源（たとえば、旧ＳＧＳＮに向かうサービングＧＷのベアラコンテキストおよび制御プレーン資源）を解放する。
【００９８】
これらのステップにおいて、旧ＳＧＳＮまたは旧ＭＭＥが、ＵＥがＭＳＣに登録していることを検出した場合、ＭＭＥまたはＳＧＳＮがＵＥを切り離し、ＵＥが３ＧＰＰ通信ネットワークから非３ＧＰＰ通信ネットワークへ移行したことによってＵＥの切り離しが生じたとき、旧ＳＧＳＮまたは旧ＭＭＥは、ＵＥを切り離すことをＭＳＣに指示するように、ＩＭＳＩデタッチ指示メッセージをＭＳＣへ送信する。
【００９９】
様態２．１において、ＨＳＳは、ベアラ削除要求メッセージまたはＰＤＰコンテキスト削除要求メッセージをサービングＧＷへ送信するため３ＧＰＰ通信ネットワークの移動性管理ＮＥをトリガーする。
【０１００】
図４は本発明によるネットワーク資源解放処理の方法の第３の実施形態のフローチャートである。図４を参照すると、本実施形態では、第１の３ＧＰＰ通信ネットワークの移動性管理ＮＥは旧ＳＧＳＮであり、第２の３ＧＰＰ通信ネットワークの移動性管理ＮＥは旧ＭＭＥである。この方法は以下のステップを含む。
【０１０１】
ステップＦ１において、ＵＥは３ＧＰＰ通信ネットワークの中でサービスプロセスを実行し、３ＧＰＰ通信ネットワークから非３ＧＰＰ通信ネットワークへ移動するときにアタッチ・セッション・ネゴシエーション手続を開始する。ステップＦ１は以下のステップを含む。
【０１０２】
ステップＦ１０１において、ＵＥは第１の３ＧＰＰ通信ネットワークの旧ＳＧＳＮおよび第２の３ＧＰＰ通信ネットワークの旧ＭＭＥに登録し、旧ＳＧＳＮと旧ＭＭＥとの間でＩＳＲメカニズムを使用し、サービングＧＷおよびＰＤＮ  ＧＷを介してサービスプロセスを実行する。
【０１０３】
ステップＦ１０２において、ＵＥは非３ＧＰＰ通信ネットワークへ移動し、特定のアタッチメント手続と非３ＧＰＰ通信ネットワークの許可および認証プログラムとを実行する。後続のプロセスは、第１の実施形態のステップＳ１０３ないし１０８と同じであるので、ここで説明されていない。
【０１０４】
ステップＦ１０３において、ＰＤＮ  ＧＷまたは非３ＧＰＰ  ＧＷは、ＵＥによって使用される非３ＧＰＰ通信ネットワークの無線アクセス・ネットワーク・タイプ（ＲＡＴタイプ）を、ＡＡＡサーバを介して、ＨＳＳに登録する。
【０１０５】
ステップＦ２において、ＨＳＳは、ＵＥのＲＡＴタイプが非３ＧＰＰ通信ネットワークのＲＡＴタイプに移行することを検出し、ＨＳＳは、ＵＥがＩＳＲメカニズムを使用することを検出し、または、ＨＳＳは、第１の３ＧＰＰ通信ネットワークの旧ＳＧＳＮおよび第２の３ＧＰＰ通信ネットワークの旧ＭＭＥがＨＳＳに登録することを検出し、ＨＳＳは、旧ＭＭＥおよび旧ＳＧＳＮからＵＥを切り離すことを決定し（すなわち、ＨＳＳは、ＵＥが３ＧＰＰ通信ネットワークおよび非３ＧＰＰ通信ネットワークの中でＩＳＲメカニズムを使用しないことを決定する）、ロケーション解除メッセージを第２の３ＧＰＰ通信ネットワークの旧ＭＭＥおよび第１の３ＧＰＰ通信ネットワークの旧ＳＧＳＮに送る。ＨＳＳは、ロケーション解除メッセージの中に第１の指示情報を含めることがあり、第１の指示情報は、ＵＥの通信ネットワークが３ＧＰＰ通信ネットワークから非３ＧＰＰネットワークへ移行することを指示するように構成され、すなわち、ＵＥが３ＧＰＰ通信ネットワークから非３ＧＰＰ通信ネットワークへ移行することによってロケーション解除メッセージが生じる。第１の指示情報を処理する特有の態様は後述の通りである。
【０１０６】
原因ＩＥは、ＵＥが３ＧＰＰ通信ネットワークから非３ＧＰＰ通信ネットワークへ移行することによってロケーション解除が生じることを指示するように、特定の原因値（たとえば、３ＧＰＰから非３ＧＰＰへのＲＡＴ間移行）に設定される。
【０１０７】
代替的に、特定の指示ビットＩＥ（たとえば、３ＧＰＰから非３ＧＰＰへのＲＡＴ間移行）が、ＵＥが３ＧＰＰ通信ネットワークから非３ＧＰＰ通信ネットワークへ移行することによってロケーション解除が生じることを指示するように設定される。
【０１０８】
代替的に、解除タイプＩＥが、ＵＥが３ＧＰＰ通信ネットワークから非３ＧＰＰ通信ネットワークへ移行することによってロケーション解除が生じることを指示するように特定の値（たとえば、１）に設定される。
【０１０９】
ステップＦ３において、ロケーション解除メッセージを受信した後、３ＧＰＰ通信ネットワークは、メッセージの中の第１の指示情報に従って、ＵＥが３ＧＰＰ通信ネットワークから非３ＧＰＰ通信ネットワークへ移行すると判断し、サービングＧＷと資源解放プロセスに関するセッションネゴシエーションを実行し、３ＧＰＰの中でＵＥの資源を解放する。
【０１１０】
ステップＦ４において、サービングＧＷが資源解放プロセスに関するセッションネゴシエーションを終了した後、ＰＤＮ  ＧＷの中で３ＧＰＰ通信ネットワーク側の資源の解放がサービングＧＷによって通知されるべきである場合、サービングＧＷは、資源を解放することをＰＤＮ  ＧＷに指示をするように、ＰＤＮ  ＧＷとセッションネゴシエーションを実行する。
【０１１１】
ステップＦ３において、３ＧＰＰ通信ネットワークがサービングＧＷと資源解放に関するセッションネゴシエーションを実行し、３ＧＰＰの中でＵＥの資源を解放するプロセスは特に以下のステップを含む。
【０１１２】
ステップＦ３０１において、ロケーション解除メッセージを受信した後、第１の３ＧＰＰ通信ネットワークの旧ＳＧＳＮおよび第２の３ＧＰＰ通信ネットワークの旧ＭＭＥは、ＵＥを切り離し、ベアラ削除要求メッセージまたはＰＤＰコンテキスト削除要求メッセージをサービングＧＷへ送信する。旧ＳＧＳＮおよび旧ＭＭＥは、ＵＥが３ＧＰＰ通信ネットワークから非３ＧＰＰ通信ネットワークへ移行したことによってベアラ削除要求メッセージまたはＰＤＰコンテキスト削除要求メッセージが生じたことを指示するように、ベアラ削除要求メッセージまたはＰＤＰコンテキスト削除要求メッセージの中に第１の指示情報を含める。特有の処理様態は後述の通りである。
【０１１３】
原因ＩＥは、ＵＥが３ＧＰＰ通信ネットワークから非３ＧＰＰ通信ネットワークへ移行したことによってベアラ削除要求メッセージまたはＰＤＰコンテキスト削除要求メッセージが生じたことを指示するように、特定の原因値（たとえば、３ＧＰＰから非３ＧＰＰへのＲＡＴ間移行）に設定される。
【０１１４】
代替的に、特定の指示ビットＩＥ（たとえば、３ＧＰＰから非３ＧＰＰへのＲＡＴ間移行）が、ＵＥが３ＧＰＰ通信ネットワークから非３ＧＰＰ通信ネットワークへ移行したことによってベアラ削除要求メッセージまたはＰＤＰコンテキスト削除要求メッセージが生じたことを指示するように設定される。
【０１１５】
代替的に、削除タイプＩＥは、ＵＥが３ＧＰＰ通信ネットワークから非３ＧＰＰ通信ネットワークへ移行することによってベアラ削除要求メッセージまたはＰＤＰコンテキスト削除要求メッセージが生じたことを特定するように特定の値（たとえば、１）に設定される。
【０１１６】
ステップＦ３０２において、サービングＧＷは、ベアラ削除応答メッセージまたはＰＤＰコンテキスト削除応答メッセージを旧ＭＭＥおよび旧ＳＧＳＮに返信する。
【０１１７】
旧ＳＧＳＮおよび旧ＭＭＥから送信されたベアラ削除要求メッセージまたはＰＤＰコンテキスト削除要求メッセージを受信した後、サービングＧＷは、ＵＥの（旧ＳＧＳＮおよび旧ＭＭＥに向かうサービングＧＷの制御プレーン資源を含む）ユーザプレーン資源および制御プレーン資源を含むすべての資源を解放するように、第１の指示情報に従って、ＵＥの通信ネットワークが３ＧＰＰ通信ネットワークから非３ＧＰＰ通信ネットワークへ移行したことを検出する。
【０１１８】
ステップＦ４において、サービングＧＷがＰＤＮ  ＧＷとのセッションネゴシエーションを実行し、資源を解放することをＰＤＮ  ＧＷに指示するプロセスは特に以下のステップを含む。
【０１１９】
ステップＦ４０１において、サービングＧＷは、第１の指示情報を含むメッセージをＰＤＮ  ＧＷへ送信するが、サービングＧＷとＰＤＮ  ＧＷとの間のインターフェイスプロトコルがＧＴＰプロトコルを使用するとき、そのメッセージはベアラ削除要求であり、サービングＧＷとＰＤＮ  ＧＷとの間のインターフェイスプロトコルがＰＭＩＰプロトコルを使用するときに、そのメッセージはプロキシＢＵであり、サービングＧＷがプロキシＢＵメッセージの中の寿命を０に設定する。第１の指示情報は、ＵＥが３ＧＰＰ通信ネットワークから非３ＧＰＰ通信ネットワークへ移行することによって、ベアラ削除要求またはプロキシＢＵメッセージが生じたことを指示する。第１の指示情報のための特有の処理様態は後述の通りである。
【０１２０】
原因ＩＥは、ＵＥが３ＧＰＰ通信ネットワークから非３ＧＰＰ通信ネットワークへ移行することによってプロセスが生じたことを指示するように、特定の原因値（たとえば、３ＧＰＰから非３ＧＰＰへのＲＡＴ間移行）に設定される。
【０１２１】
代替的に、特定の指示ビットＩＥ（たとえば、３ＧＰＰから非３ＧＰＰへのＲＡＴ間移行）が、ＵＥが３ＧＰＰ通信ネットワークから非３ＧＰＰ通信ネットワークへ移行することによってプロセスが生じたことを指示するように設定される。
【０１２２】
代替的に、削除タイプまたは取消タイプＩＥは、ＵＥが３ＧＰＰ通信ネットワークから非３ＧＰＰ通信ネットワークへ移行することによってプロセスが生じたことを特定するように特定の値（たとえば、１）に設定される。
【０１２３】
ステップＦ４０２において、メッセージを受信した後、ＰＤＮ  ＧＷは、旧３ＧＰＰ通信ネットワークの中のＵＥの資源（たとえば、旧３ＧＰＰ通信ネットワークのバインディング・キャッシュ・エントリ資源またはベアラコンテキスト）を削除し、目的の非３ＧＰＰ通信ネットワークの中の資源を予約し、同時に、ＩＰアドレスのような、ＵＥのためＰＤＮ  ＧＷによって割り当てられた資源を予約する。ＰＤＮ  ＧＷは、応答メッセージ（たとえば、ベアラ削除応答またはプロキシＢＡメッセージ）をサービングＧＷへ返信する。
【０１２４】
上記ステップにおいて、旧ＳＧＳＮまたは旧ＭＭＥが、ＵＥがＭＳＣに登録したことを検出した場合、ＭＭＥまたはＳＧＳＮはＵＥを切り離し、ＵＥが３ＧＰＰ通信ネットワークから非３ＧＰＰ通信ネットワークへ移行することによってＵＥの切り離しが生じ、旧ＳＧＳＮまたは旧ＭＭＥが、ＵＥを切り離すことをＭＳＣに指示するように、ＩＭＳＩデタッチ指示メッセージをＭＳＣへ送信する。
【０１２５】
図５は本発明によるネットワーク資源解放処理の方法の第４の実施形態のフローチャートである。図５を参照すると、本実施形態では、第１の３ＧＰＰ通信ネットワークの移動性管理ＮＥは旧ＳＧＳＮであり、第２の３ＧＰＰ通信ネットワークの移動性管理ＮＥは旧ＭＭＥである。この方法は以下のステップを含む。
【０１２６】
ステップｆ１において、ＵＥは３ＧＰＰ通信ネットワークの中でサービスプロセスを実行し、３ＧＰＰ通信ネットワークから非３ＧＰＰ通信ネットワークへ移動するときにアタッチ・セッション・ネゴシエーション手続を開始する。特有のプロセスは図４に示された第３の実施形態と同じであるので、ここで説明されていない。
【０１２７】
ステップｆ２において、ＨＳＳは、ＵＥのＲＡＴタイプが非３ＧＰＰ通信ネットワークのＲＡＴタイプに変化したことを検出し、ＨＳＳは、第２の３ＧＰＰ通信ネットワークの旧ＭＭＥから、または、第１の３ＧＰＰ通信ネットワークの旧ＳＧＳＮからＵＥを切り離すことを決定し、ロケーション解除メッセージを第２の３ＧＰＰ通信ネットワークの旧ＭＭＥまたは第１の３ＧＰＰ通信ネットワーク通信ネットワークの旧ＳＧＳＮへ送信する。ＨＳＳはロケーション解除メッセージの中に第１の指示情報を含めることがある。第１の指示情報を処理する特有の様態は第３の実施形態のステップＦ２の説明と一致しているので、ここで説明されていない。
【０１２８】
第１の指示情報を含むロケーション解除メッセージを第２の３ＧＰＰ通信ネットワークの旧ＭＭＥへ送信する処理プロセスは、第１の指示情報を含むロケーション解除メッセージを第１の３ＧＰＰ通信ネットワークの旧ＳＧＳＮへ送信するプロセスと同じであることに注意されたい。本実施形態では、第１の指示情報を含むロケーション解除メッセージを第１の３ＧＰＰ通信ネットワークの旧ＳＧＳＮへ送信するプロセスは説明のための実施例として設定されている。
【０１２９】
ステップｆ３において、ロケーション解除メッセージを受信した後、第１の３ＧＰＰ通信ネットワークの旧ＳＧＳＮは、メッセージの中の第１の指示情報に従って、ＵＥが３ＧＰＰ通信ネットワークから非３ＧＰＰ通信ネットワークへ移行したと判断し、サービングＧＷと資源解放プロセスに関するセッションネゴシエーションを実行し、３ＧＰＰの中でＵＥの資源を解放する。ステップｆ３は特に以下のステップを含む。
【０１３０】
ステップｆ３０１において、第１の３ＧＰＰ通信ネットワークの旧ＳＧＳＮは、ベアラ削除要求またはＰＤＰコンテキスト削除要求メッセージをサービングＧＷへ送信し、ＵＥが３ＧＰＰ通信ネットワークから非３ＧＰＰ通信ネットワークへ移行したことによってベアラ削除要求またはＰＤＰコンテキスト削除要求メッセージが生じたことを指示するため第１の指示情報をメッセージの中に含める。処理様態は第３の実施形態における処理態様と同じである。
【０１３１】
ベアラ削除要求またはＰＤＰコンテキスト削除要求メッセージを受信した後、第１の指示情報に従って、サービングＧＷは、ＵＥが３ＧＰＰ通信ネットワークから非３ＧＰＰ通信ネットワークへ移行したことによってベアラ削除が生じたことを検出し、かつ、サービングＧＷはＵＥがＩＳＲメカニズムを使用することを検出し、サービングＧＷは次にベアラ削除応答またはＰＤＰコンテキスト削除応答メッセージを旧ＳＧＳＮへ送信し、以下のプロセスを実行する。
【０１３２】
サービングＧＷは、サービングＧＷの中でＵＥのユーザプレーン資源および制御プレーン資源（たとえば、第２の３ＧＰＰ通信ネットワークの旧ＭＭＮおよび第１の３ＧＰＰ通信ネットワークの旧ＳＧＳＮへ向かうベアラコンテキスト、制御プレーン資源）を含むすべての資源を解放し、第２の３ＧＰＰ通信ネットワークの旧ＭＭＥはベアラ資源解放を通知する必要がない。
【０１３３】
代替的に、サービングＧＷはＵＥのＩＳＲメカニズムを不活性化にし、サービングＧＷの中で第１の通信ネットワークの旧ＳＧＳＮに関連した資源（たとえば、旧ＳＧＳＮへ向かうサービングＧＷの制御プレーン資源）を削除するが、サービングＧＷはＵＥによって使用されたベアラコンテキストを削除せず、第２の３ＧＰＰ通信ネットワークの旧ＭＭＥへ向かうサービングＧＷの制御プレーン資源を削除せず、サービングＧＷは、第２の３ＧＰＰ通信ネットワークの旧ＭＭＥから送信されたベアラ削除要求メッセージを受信した後、サービングＧＷの中でＵＥのすべての資源（たとえば、旧ＭＭＥへ向かうサービングＧＷのベアラコンテキスト、制御プレーン資源）を解放する。
【０１３４】
ステップｆ３０２において、ステップｆ２でＨＳＳから送信されたロケーション解除メッセージを受信した後、第１の３ＧＰＰ通信ネットワークの旧ＳＧＳＮが、ＵＥがＩＳＲメカニズムを使用することを検出した場合、第１の３ＧＰＰ通信ネットワークの旧ＳＧＳＮはＵＥのＩＳＲメカニズムを不活性化することを決定し、ユーザを切り離すことを第２の３ＧＰＰ通信ネットワークの旧ＭＭＥに通知し、旧ＳＧＳＮがデタッチ要求メッセージを第２の３ＧＰＰ通信ネットワークの旧ＭＭＥへ送信する。旧ＳＧＳＮは、デタッチ要求メッセージの中に第１の指示情報または第２の指示情報を含めることがある。第１の指示情報を処理する特有の態様は第２の実施形態のステップｓ３０２における説明と同じであるので、ここで説明されていない。
【０１３５】
第２の指示情報は、ＵＥのＩＳＲメカニズムが不活性化にされることによってデタッチ要求が生じたことを指示する。特有の処理様態は第２の実施形態のステップｓ３０２における説明と同じであるので、ここで説明されていない。
【０１３６】
旧ＳＧＳＮは、ユーザを切り離すか、または、資源を解放することを旧ＭＭＥへ通知するため他のメッセージをさらに送信することもあり、たとえば、旧ＳＧＳＮは、ユーザを切り離し、資源を解放することを旧ＭＭＥに通知するため資源削除要求またはデタッチ指示メッセージを旧ＭＭＥへ送信することに注意されたい。
【０１３７】
ステップｆ３０３において、メッセージを受信した後、第２の３ＧＰＰ通信ネットワークの旧ＭＭＥは、局所的にユーザを切り離し、ベアラコンテキスト資源を削除し、ＵＥの状態を「ＥＭＭ−ＤＥＲＥＧＩＳＴＥＲＥＤ」状態に設定する。旧ＭＭＥが、ＵＥがＩＳＲメカニズムを使用していることを検出した場合、旧ＭＭＥは以下のプロセスを実行する。
【０１３８】
デタッチ要求メッセージが、ＵＥが３ＧＰＰ通信ネットワークから非３ＧＰＰ通信ネットワークへ移行するか、または、ＩＳＲが停止状態にされることによってデタッチ要求が生じたことを指示する第１の指示情報または第２の指示情報を含まないとき、旧ＭＭＥはＰＤＰコンテキスト削除要求（またはベアラ削除要求）メッセージをサービングＧＷへ送信する。
【０１３９】
代替的に、デタッチ要求メッセージが、ＵＥが３ＧＰＰ通信ネットワークから非３ＧＰＰ通信ネットワークへ移行するか、または、ＩＳＲが不活性化されることによってデタッチ要求が生じたことを指示する第１の指示情報を含み、サービングＧＷが資源解放を旧ＭＭＥによって通知されることなくすべての資源を解放するとき、旧ＭＭＥはＰＤＰコンテキスト削除要求（またはベアラ削除要求）メッセージをサービングＧＷへ送信しない。
【０１４０】
代替的に、デタッチ要求メッセージが、ＵＥが３ＧＰＰ通信ネットワークから非３ＧＰＰ通信ネットワークへ移行するか、または、ＩＳＲが不活性化されることによってデタッチ要求が生じたことを指示する指示情報を含み、サービングＧＷが資源解放を旧ＳＧＳＮによって通知された後にすべての資源を解放するとき、旧ＭＭＥはＰＤＰコンテキスト削除要求（またはベアラ削除要求）メッセージをサービングＧＷへ送信する。
【０１４１】
ステップｆ３０４において、第２の３ＧＰＰ通信ネットワークの旧ＭＭＥはデタッチ応答メッセージを第１の３ＧＰＰ通信ネットワークの旧ＳＧＳＮへ返信する。
【０１４２】
ステップｆ４において、サービングＧＷが資源解放プロセスに関するセッションネゴシエーションを終了した後、ＰＤＮ  ＧＷの中の３ＧＰＰ通信ネットワーク側の資源の解放がサービングＧＷによって通知される必要がない場合、サービングＧＷはＰＤＮ  ＧＷとのセッションネゴシエーションを実行し、資源を解放することをＰＤＮ  ＧＷに指示する。ステップ４は特に以下のステップを含む。
【０１４３】
ステップｆ４０１〜ｆ４０２は第３の実施形態のステップＦ４０１〜４０２と同じであるので、ここで説明されていない。
【０１４４】
上記のステップにおいて、旧ＳＧＳＮまたは旧ＭＭＥが、ＵＥがＭＳＣに登録していることを検出した場合、ＭＭＥまたはＳＧＳＮがＵＥを切り離し、ＵＥの切り離しが、ＵＥが３ＧＰＰ通信ネットワークから非３ＧＰＰ通信ネットワークへ移行することによって生じたとき、旧ＳＧＳＮまたは旧ＭＭＥは、ＵＥを切り離すことをＭＭＳに指示するように、ＩＭＳＩデタッチ指示メッセージをＭＳＣへ送信する。
【０１４５】
図６は本発明によるネットワーク資源解放処理の方法の第５の実施形態のフローチャートである。図６を参照すると、本実施形態では、第２の３ＧＰＰ通信ネットワークの移動性管理ＮＥは旧ＳＧＳＮであり、第１の３ＧＰＰ通信ネットワークの移動性管理ＮＥは旧ＭＭＥである。この方法は以下のステップを含む。
【０１４６】
ステップｇ１において、ＵＥは３ＧＰＰ通信ネットワークの中でサービスプロセスを実行し、３ＧＰＰ通信ネットワークから非３ＧＰＰ通信ネットワークへ移動するときにアタッチ・セッション・ネゴシエーション手続を開始する。特有のプロセスは図４に示されているような第３の実施形態と同じであるので、ここで説明されていない。
【０１４７】
ステップｇ２において、ＨＳＳは、ＵＥのＲＡＴタイプが非３ＧＰＰ通信ネットワークのＲＡＴタイプに変化したことを検出し、ＨＳＳは、旧ＭＭＥまたは旧ＳＧＳＮからＵＥを切り離すことを決定し、３ＧＰＰ通信ネットワークの中でロケーション解除メッセージを第１の３ＧＰＰ通信ネットワークの旧ＭＭＥまたは第２の３ＧＰＰ通信ネットワーク通信ネットワークの旧ＳＧＳＮへ送信する。ＨＳＳはロケーション解除メッセージの中に第１の指示情報を含めることがある。第１の指示情報を処理する１様態は第３の実施形態のステップＦ２の説明と一致しているので、ここで説明されていない。
【０１４８】
第１の指示情報を含むロケーション解除メッセージを第１の３ＧＰＰ通信ネットワークの旧ＭＭＥへ送信する処理プロセスは、第１の指示情報を含むロケーション解除メッセージを第２の３ＧＰＰ通信ネットワークの旧ＳＧＳＮへ送信するプロセスと同じであることに注意されたい。本実施形態では、第１の指示情報を含むロケーション解除メッセージを第１の３ＧＰＰ通信ネットワークの旧ＭＭＥへ送信するプロセスは説明のための実施例として設定されている。
【０１４９】
ステップｇ３において、ロケーション解除メッセージを受信した後、第１の３ＧＰＰ通信ネットワークの旧ＭＭＥは、メッセージの中の第１の指示情報に従って、ＵＥが３ＧＰＰ通信ネットワークから非３ＧＰＰ通信ネットワークへ移行したと判断し、サービングＧＷと資源解放プロセスに関するセッションネゴシエーションを実行し、３ＧＰＰの中でＵＥの資源を解放する。ステップｇ３は特に以下のステップを含む。
【０１５０】
ステップｇ３０１において、ロケーション解除メッセージを受信した後、第１の３ＧＰＰ通信ネットワークの旧ＭＭＥは、ベアラＰＤＰコンテキスト削除要求メッセージ、または、ＰＤＰコンテキスト削除要求メッセージをサービングＧＷへ送信し、ＵＥが３ＧＰＰ通信ネットワークから非３ＧＰＰ通信ネットワークへ移行したことによってベアラ削除要求メッセージまたはＰＤＰコンテキスト削除要求メッセージが生じたことを指示するためメッセージの中に第１の指示情報を含める。処理様態は第３の実施形態のステップＦ３０１における説明と同じであるので、ここで説明されていない。
【０１５１】
ステップｇ３０２において、ベアラ削除要求メッセージまたはＰＤＰコンテキスト削除要求メッセージを受信した後、第１の指示情報に従って、サービングＧＷは、ＵＥが３ＧＰＰ通信ネットワークから非３ＧＰＰ通信ネットワークへ移行したことによってベアラ削除が生じたことを検出し、サービングＧＷはＵＥがＩＳＲメカニズムを使用していることを検出し、サービングＧＷは、ＩＳＲメカニズムを不活性化にし、ベアラを削除しユーザを切り離すことを第２の３ＧＰＰ通信ネットワークの旧ＳＧＳＮに通知する。特に、サービングＧＷは、ＰＤＰコンテキスト削除要求メッセージまたはベアラ削除要求メッセージを第２の３ＧＰＰ通信ネットワークの旧ＳＧＳＮへ送信し、サービングＧＷは、ＵＥが３ＧＰＰ通信ネットワークから非３ＧＰＰ通信ネットワークへ移行するか、または、ＵＥのＩＳＲメカニズムが不活性化にされることによってＰＤＰコンテキスト削除要求メッセージまたはベアラ削除要求メッセージが生じたことを指示するために、メッセージの中に第１の指示情報または第２の指示情報を含めることがある。特有のプロセスは第１の実施形態のステップＳ３０１における説明と同じであるので、ここで説明されていない。
【０１５２】
サービングＧＷから送信されたベアラ削除要求メッセージまたはＰＤＰコンテキスト削除要求メッセージを受信した後、第２の３ＧＰＰ通信ネットワークの旧ＳＧＳＮは、第１の指示情報または第２の指示情報に従って、ＵＥが３ＧＰＰ通信ネットワークから非３ＧＰＰ通信ネットワークへ移行するか、または、ＵＥのＩＳＲメカニズムが不活性化にされることによってベアラ削除が生じたことを検出し、旧ＳＧＳＮは以下のプロセスを実行することがある。
【０１５３】
ＵＥは切り離され、ＵＥの状態は「ＥＭＭ−ＤＥＲＥＧＩＳＴＥＲＥＤ」状態に設定される。
【０１５４】
ＵＥの状態が旧ＳＧＳＮの中で活性化状態であるか、または、接続状態である場合、旧ＳＧＳＮは、（接続資源およびベアラ資源を含む）資源を解放することをアクセスネットワークのＮＥに通知し、ＰＤＰコンテキスト削除応答メッセージまたはベアラ削除応答メッセージをサービングＧＷへ返信する。
【０１５５】
代替的に、ＵＥの状態が旧ＳＧＳＮの中でアイドル状態である場合、旧ＳＧＳＮはページングプロセスをトリガーしないが、資源を直接的に局所的に削除し、ＰＤＰコンテキスト削除応答メッセージまたはベアラ削除応答メッセージをサービングＧＷへ返信する。
【０１５６】
サービングＧＷがベアラ削除要求メッセージまたはＰＤＰコンテキスト削除要求メッセージの中に第１の識別情報または第２の識別情報を含めないとき、旧ＳＧＳＮが、ＵＥのすべてのベアラがサービングＧＷによって解放されることが要求されていることを検出した後に、旧ＳＧＳＮは、ＵＥが３ＧＰＰ通信ネットワークから非３ＧＰＰネットワークへ移行したことによってベアラ解放が生じたとみなすことに注意されたい。
【０１５７】
ステップｇ３０３において、サービングＧＷは、（第２の３ＧＰＰ通信ネットワークの旧ＳＧＳＮおよび第１の３ＧＰＰ通信ネットワークの旧ＭＭＥへ向かうサービングＧＷの制御プレーン資源を含む）ＵＥのユーザプレーン資源および制御プレーン資源を含むすべての資源を解放し、ベアラ削除応答メッセージまたはＰＤＰコンテキスト削除応答メッセージを旧ＭＭＥへ返信する。
【０１５８】
ステップｇ４において、サービングＧＷが資源解放プロセスに関するセッションネゴシエーションを終了した後、ＰＤＮ  ＧＷの中で３ＧＰＰ通信ネットワーク側の資源の解放がサービングＧＷによって通知される必要がある場合、サービングＧＷはＰＤＮ  ＧＷとのセッションネゴシエーションを実行し、資源を解放することをＰＤＮ  ＧＷに指示する。ステップｇ４は特に以下のステップを含む。
【０１５９】
ステップｇ４０１〜４０２は第３の実施形態のステップＦ４０１〜４０２と同じであるので、ここで説明されていない。
【０１６０】
上記ステップにおいて、旧ＳＧＳＮまたは旧ＭＭＥが、ＵＥがＭＳＣに登録していることを検出した場合、ＭＭＥまたはＳＧＳＮはＵＥを切り離し、ＵＥが３ＧＰＰ通信ネットワークから非３ＧＰＰ通信ネットワークへ移行したことによってＵＥの切り離しが生じたとき、旧ＳＧＳＮまたは旧ＭＭＥは、ＵＥを切り離すことをＭＳＣに指示するように、ＩＭＳＩデタッチ指示メッセージをＭＳＣへ送信する。
【０１６１】
様態２．２において、非３ＧＰＰ通信ネットワークは、ベアラ削除要求メッセージまたはＰＤＰコンテキスト削除要求メッセージをサービングＧＷへ送信するように３ＧＰＰ通信ネットワークの移動性管理ＮＥをトリガーする。
【０１６２】
図７は本発明によるネットワーク資源解放処理の方法の第６の実施形態のフローチャートである。図７を参照すると、本実施形態において、第１の３ＧＰＰ通信ネットワークの移動性管理ＮＥは旧ＭＭＥであり、第２の３ＧＰＰ通信ネットワークの移動性管理ＮＥは旧ＳＧＳＮである。ＩＳＲメカニズムを使用するＵＥが３ＧＰＰネットワークモバイルから非３ＧＰＰネットワークへ移行した後、ＵＳは３ＧＰＰネットワークを介してアタッチメント手続を開始する。その後、資源解放プロセスが実行される。この方法は以下のステップを含む。
【０１６３】
ステップＨ１において、ＵＥは３ＧＰＰ通信ネットワークの中でサービスプロセスを実行し、アタッチ・セッション・ネゴシエーション手続を開始する。
【０１６４】
ステップＨ２において、アタッチネゴシエーションが終了した後、非３ＧＰＰ通信ネットワークの非３ＧＰＰ  ＧＷまたは非３ＧＰＰアクセスＮＥがハンドオーバ終了メッセージを第１の３ＧＰＰ通信ネットワークの旧ＭＭＥまたは第２の３ＧＰＰ通信ネットワークの旧ＳＧＳＮへ送信する。非３ＧＰＰ  ＧＷまたは非３ＧＰＰアクセスＮＥがハンドオーバ終了メッセージを第１の３ＧＰＰ通信ネットワークの旧ＭＭＥへ送信するプロセスは、非３ＧＰＰ  ＧＷまたは非３ＧＰＰアクセスＮＥがハンドオーバ終了メッセージを第２の３ＧＰＰ通信ネットワークの旧ＳＧＳＮへ送信するプロセスと同じである。本実施形態では、非３ＧＰＰ  ＧＷまたは非３ＧＰＰアクセスＮＥがハンドオーバ終了メッセージを第１の３ＧＰＰ通信ネットワークの旧ＭＭＥへ送信するプロセスが説明のための実施例として設定されている。
【０１６５】
ステップＨ３において、ハンドオーバ終了メッセージを受信した後、３ＧＰＰ通信ネットワークは、資源を解放するように、第１の指示情報または第３の指示情報を含むベアラ削除要求メッセージまたはＰＤＰコンテキスト削除要求メッセージを送信することにより、サービングＧＷと資源解放プロセスに関するセッションネゴシエーションを実行する。第１の指示情報は、ＵＥの通信ネットワークが３ＧＰＰ通信ネットワークから非３ＧＰＰ通信ネットワークへ移行したことを指示するように構成され、第３の指示情報は資源解放プロセスが最適化されたハンドオーバによって生じたことを指示する。
【０１６６】
ステップＨ４において、サービングＧＷが資源解放プロセスに関するセッションネゴシエーションを終了した後、ＰＤＮ  ＧＷの中で３ＧＰＰ通信ネットワーク側の資源の解放がサービングＧＷによって通知される必要がある場合、サービングＧＷはＰＤＮ  ＧＷとセッションネゴシエーションを実行し、資源を解放することをＰＤＮ  ＧＷに指示する。
【０１６７】
ステップＨ１は特に以下のステップを含む。
【０１６８】
ステップＨ１０１において、ＵＥは第１の３ＧＰＰ通信ネットワークの旧ＳＧＳＮおよび第１の３ＧＰＰ通信ネットワークの旧ＭＭＥに登録し、旧ＳＧＳＮと旧ＭＭＥとの間でＩＳＲメカニズムを使用し、サービングＧＷおよびＰＤＮ  ＧＷを介してサービスプロセスを実行する。
【０１６９】
ステップＨ１０２において、ＵＥは、３ＧＰＰ通信ネットワークを介して非３ＧＰＰ通信ネットワークの特定のアタッチメント手続と、許可および認証プログラムとを実行する。必要に応じて、ＵＥはＩＰセキュリティプロトコル（ＩＰＳｅｃ）トンネル確立手続を実行する。
【０１７０】
ステップＨ１０３において、非３ＧＰＰ  ＧＷは、非３ＧＰＰ通信ネットワークの中でＵＥによって使用されるＰＣＣルールを獲得するためゲートウェイ制御およびＱｏＳポリシールール要求メッセージをＰＣＲＦへ送信する。
【０１７１】
ＰＣＲＦは、非３ＧＰＰ通信ネットワークの中でＵＥによって使用されるＰＣＣルールを含む、ゲートウェイ制御およびＱｏＳポリシールール応答メッセージを非３ＧＰＰ  ＧＷへ返信する。
【０１７２】
このステップにおいて、ＷＬＡＮシステムに対し、非３ＧＰＰ  ＧＷはＥＰＤＧであり、ＷｉＭＡＸシステムに対し、非３ＧＰＰ  ＧＷはＡＳＮ  ＧＷであり、ＣＤＭＡシステムに対し、非３ＧＰＰ  ＧＷはＡＧＷであり、ＨＲＰＤネットワークに対し、非３ＧＰＰ
ＧＷはＰＤＳＮである。
【０１７３】
ステップＨ１０４において、ＵＥは３ＧＰＰ通信ネットワークを介してレイヤ３のアタッチメント手続をトリガーする。
【０１７４】
ステップＨ１０５において、非３ＧＰＰ通信ネットワークはレイヤ３のアタッチメントプロセスを終了し、レイヤ３のアタッチ終了メッセージを、３ＧＰＰ通信ネットワークを介して、ＵＥへ返信する。
【０１７５】
ステップＨ１０６において、ＵＥは非３ＧＰＰ通信ネットワークへ移動し、非３ＧＰＰ通信ネットワークに関連したアクセスメッセージを、非３ＧＰＰ通信ネットワークの中のアクセスＮＥを介して、非３ＧＰＰ  ＧＷへ送信する。
【０１７６】
ステップＨ１０７〜Ｈ１０９のプロセスは第１の実施形態におけるステップＳ１０５〜Ｓ１０７と同じであるので、ここで説明されていない。
【０１７７】
ステップＨ３は特に以下のステップを含む。
【０１７８】
ステップＨ３０１において、非３ＧＰＰネットワークから送信されたハンドオーバ終了メッセージを受信した後、第１の３ＧＰＰ通信ネットワークの旧ＭＭＥは、第１の指示情報を含むベアラ削除要求メッセージまたはＰＤＰコンテキスト削除要求メッセージをサービングＧＷへ送信する。第１の指示情報は、ＵＥが３ＧＰＰ通信ネットワークから非３ＧＰＰ通信ネットワークへ移行することによってベアラ削除要求メッセージまたはＰＤＰコンテキスト削除要求メッセージが生じたことを指示する。特有のプロセスは第３の実施形態のステップＦ３０１における説明と同じであるので、ここで説明されていない。
【０１７９】
第１の３ＧＰＰ通信ネットワークの旧ＭＭＥは、ベアラ削除要求メッセージまたはＰＤＰコンテキスト削除要求メッセージが最適化されたハンドオーバによって生じたことを指示するように、ベアラ削除要求メッセージまたはＰＤＰコンテキスト削除要求メッセージの中に第３の指示情報を含めることがあることに注意されたい。特有の処理様態は後述の通りである。
【０１８０】
原因ＩＥは、ベアラ削除要求メッセージまたはＰＤＰコンテキスト削除要求メッセージが最適化されたハンドオーバによって生じたことを指示するように特定の原因値（たとえば、「最適化されたハンドオーバ」）に設定される。
【０１８１】
代替的に、特定の指示ビットＩＥまたは識別ビットＩＥ（たとえば、「最適化されたハンドオーバ」）が、ベアラ削除要求メッセージまたはＰＤＰコンテキスト削除要求メッセージが最適化されたハンドオーバによって生じたことを指示するように設定される。
【０１８２】
代替的に、削除タイプＩＥが、ＵＥのＩＳＲメカニズムが不活性化されたことによってベアラ削除要求メッセージまたはＰＤＰコンテキスト削除要求メッセージが生じたことを指示するように特定の値（たとえば、３）に設定される。
【０１８３】
ステップＨ３０２において、ベアラ削除要求メッセージまたはＰＤＰコンテキスト削除要求メッセージを受信した後、第１の指示情報または第３の指示情報に従って、サービングＧＷは、ＵＥが３ＧＰＰ通信ネットワークから非３ＧＰＰ通信ネットワークへ移行したことによって、または、最適化されたハンドオーバによってベアラ削除が生じたことを検出し、そして、サービングＧＷはＵＥがＩＳＲメカニズムを使用していることを検出し、サービングＧＷはＩＳＲメカニズムを不活性化にし、ベアラを削除し、ユーザを切り離すことを第２の３ＧＰＰ通信ネットワークの旧ＳＧＳＮに通知する。サービングＧＷは、第１の指示情報を含むＰＤＰコンテキスト削除要求メッセージまたはベアラ削除要求メッセージを第２の３ＧＰＰ通信ネットワークの旧ＳＧＳＮへ送信する。第１の指示情報を処理する特有の様態に関して、第１の実施形態のステップＳ３０１における説明を参照のこと。サービングＧＷがベアラ削除要求メッセージまたはＰＤＰコンテキスト削除要求メッセージの中に指示情報を含めない場合、旧ＳＧＳＮが、ＵＥのすべてのベアラがサービングＧＷによって解放されることが要求されていることを検出した後、旧ＳＧＳＮは、ＵＥが３ＧＰＰ通信ネットワークから非３ＧＰＰ通信ネットワークへ移行したことによってベアラ解放が生じたとみなす。
【０１８４】
サービングＧＷは、ＵＥのＩＳＲメカニズムが不活性化にされることによってＰＤＰコンテキスト削除要求メッセージまたはベアラ削除要求メッセージが生じたことを指示するように、メッセージの中に第２の指示情報を含めることがあることに注意されたい。特有の処理様態に関して、第５の実施形態のステップｇ３０２における説明を参照のこと。
【０１８５】
代替的に、サービングＧＷは、最適化されたハンドオーバによってベアラ削除要求メッセージまたはＰＤＰコンテキスト削除要求メッセージが生じたことを指示するように、メッセージの中に第３の指示情報を含めることがある。特有の様態は後述の通りである。
【０１８６】
原因ＩＥは、プロセスが最適化されたハンドオーバによって生じたことを指示するように、特定の原因値（たとえば、「最適化されたハンドオーバ」）に設定される。
【０１８７】
代替的に、特定の指示ビットＩＥまたは識別ビットＩＥ（たとえば、「最適化されたハンドオーバ」または「最適化されたハンドオーバフラグ」）が、ベアラ削除要求メッセージまたはＰＤＰコンテキスト削除要求メッセージが最適化されたハンドオーバによって生じたことを指示するように設定される。
【０１８８】
代替的に、削除タイプＩＥは、ベアラ削除要求メッセージまたはＰＤＰコンテキスト削除要求メッセージが最適化されたハンドオーバによって生じたことを指示するように、特定の値（たとえば、３）に設定される。
【０１８９】
ステップＨ３０３において、サービングＧＷから送信されたベアラ削除要求またはＰＤＰコンテキスト削除要求メッセージを受信した後、第１の指示情報、第２の指示情報、または、第３の指示情報に従って、第２の３ＧＰＰ通信ネットワークの旧ＳＧＳＮは、ＵＥが３ＧＰＰ通信ネットワークから非３ＧＰＰ通信ネットワークへ移行することによって、または、最適化されたハンドオーバによって、または、ＵＥのＩＳＲメカニズムが不活性化にされることによってベアラ削除が生じたことを検出する。旧ＳＧＳＮのプロセスは第５の実施形態のステップｇ３０２における旧ＳＧＳＮのプロセスと同じであるので、ここで説明されていない。
【０１９０】
サービングＧＷがベアラ削除要求メッセージまたはＰＤＰコンテキスト削除要求メッセージの中に第１の指示情報、第２の指示情報、または、第３の指示情報を含めないとき、旧ＳＧＳＮが、ＵＥのすべてのベアラがサービングＧＷによって解放されることが要求されることを検出した後、旧ＳＧＳＮは、ＵＥが３ＧＰＰ通信ネットワークから非３ＧＰＰ通信ネットワークへ移行したことによってベアラ解放が生じたとみなすことに注意されたい。
【０１９１】
ステップＨ３０４において、サービングＧＷは、（旧ＳＧＳＮおよび旧ＭＭＥに向かうサービングＧＷの制御プレーン資源を含む）ＵＥのユーザプレーン資源および制御プレーン資源を含むすべての資源を解放し、ベアラ削除応答メッセージまたはＰＤＰコンテキスト削除応答メッセージを旧ＭＭＥへ返信する。
【０１９２】
ステップＨ４において、サービングＧＷが資源を解放することをＰＤＮ  ＧＷに通知するプロセスは特に以下のステップを含む。
【０１９３】
ステップＨ４０１において、サービングＧＷは、サービングＧＷとＰＤＮ  ＧＷとの間のインターフェイスプロトコルがＧＴＰプロトコルを使用するとき、メッセージがベアラ削除要求であり、サービングＧＷとＰＤＮ  ＧＷとの間のインターフェイスプロトコルがＰＭＩＰプロトコルを使用するとき、メッセージがプロキシＢＵである、第１の指示情報または第３の指示情報を含むメッセージをＰＤＮ  ＧＷへ送信し、プロキシＢＵメッセージの中の寿命を０に設定する。第１の指示情報は、ベアラ削除要求またはプロキシＢＵが、ＵＥが３ＧＰＰ通信ネットワークから非３ＧＰＰ通信ネットワークへ移行することによって生じたことを指示する。指示ビットの特有のプロセスは第３の実施形態のステップＦ４、第４の実施形態のステップｆ４、および、第５の実施形態のステップｇ４におけるプロセスと同じであるので、ここで説明されていない。
【０１９４】
サービングＧＷは、ベアラ削除要求メッセージまたはプロキシＢＵメッセージが最適化されたハンドオーバによって生じたことを指示するように、メッセージの中に第３の指示情報を含めることもある。特有の処理様態は後述の通りである。
【０１９５】
原因ＩＥは、プロセスが最適化されたハンドオーバによって生じたことを指示するように、特定の原因値（たとえば、「最適化されたハンドオーバ」）に設定される。
【０１９６】
代替的に、特定の指示ビットまたは識別ビットＩＥ（たとえば、「最適化されたハンドオーバ」または「最適化されたハンドオーバフラグ」）が、ベアラ削除要求メッセージまたはプロキシＢＵメッセージが最適化されたハンドオーバによって生じたことを指示するように設定される。
【０１９７】
代替的に、削除タイプまたは更新タイプＩＥが、ベアラ削除要求メッセージまたはプロキシＢＵメッセージが最適化されたハンドオーバによって生じたことを表現するように、特定の値（たとえば、３）に設定される。
【０１９８】
ステップＨ４０２において、メッセージを受信した後、ＰＤＮ  ＧＷは、旧３ＧＰＰ通信ネットワークの中でＵＥの資源（たとえば、旧３ＧＰＰ通信ネットワークのバインディング・キャッシュ・エントリ資源またはベアラコンテキスト）を削除し、目的の非３ＧＰＰ通信ネットワークの中で資源を予約し、同時に、ＩＰアドレスのような、ＵＥのためＰＤＮ  ＧＷによって割り当てられた資源を予約する。ＰＤＮ  ＧＷは応答メッセージ（たとえば、ベアラ削除応答またはプロキシＢＡメッセージ）をサービングＧＷへ返信する。
【０１９９】
上記ステップにおいて、旧ＳＧＳＮまたは旧ＭＭＥが、ＵＥがＭＳＣに登録していることを検出した場合、ＭＭＥまたはＳＧＳＮがＵＥを切り離し、ＵＥの切り離しが、ＵＥが３ＧＰＰ通信ネットワークから非３ＧＰＰ通信ヘットワークへ移行したことによって生じたとき、旧ＳＧＳＮまたは旧ＭＭＥは、ＵＥを切り離すことをＭＳＣに指示するように、ＩＭＳＩデタッチ指示メッセージをＭＳＣへ送信する。
【０２００】
図８は本発明によるネットワーク資源解放処理の方法の第７の実施形態のフローチャートである。図８を参照すると、本実施形態によれば、第１の３ＧＰＰ通信ネットワークの移動性管理ＮＥは旧ＭＭＥであり、第２の３ＧＰＰ通信ネットワークの移動性ＮＥは旧ＳＧＳＮである。ＩＳＲメカニズムを使用するＵＥが３ＧＰＰネットワークモバイルから非３ＧＰＰネットワークへ移行した後、ＵＳは３ＧＰＰネットワークを介してアタッチメント手続を開始する。その後、資源解放プロセスが実行される。この方法は以下のステップを含む。
【０２０１】
ステップｈ１において、ＵＥは３ＧＰＰ通信ネットワークの中でサービスプロセスを実行し、３ＧＰＰ通信ネットワークを介してアタッチ・セッション・ネゴシエーション手続を開始する。特有の処理手続は第６の実施形態におけるステップＨ１と同じであるので、ここで説明されていない。
【０２０２】
ステップｈ２において、アタッチネゴシエーションが終了した後、非３ＧＰＰ通信ネットワークの非３ＧＰＰ  ＧＷまたは非３ＧＰＰアクセスＮＥは、ハンドオーバ終了メッセージを３ＧＰＰ通信ネットワークの第１の３ＧＰＰ通信ネットワークの旧ＭＭＥまたは第２の３ＧＰＰ通信ネットワークの旧ＳＧＳＮへ送信する。非３ＧＰＰ  ＧＷまたは非３ＧＰＰアクセスＮＥがハンドオーバ終了メッセージを第１の３ＧＰＰ通信ネットワークの旧ＭＭＥへ送信するプロセスは、非３ＧＰＰ  ＧＷまたは非３ＧＰＰアクセスＮＥがハンドオーバ終了メッセージを第２の３ＧＰＰ通信ネットワークの旧ＳＧＳＮへ送信するプロセスと同じである。本実施形態において、非３ＧＰＰ  ＧＷまたは非３ＧＰＰアクセスＮＥがハンドオーバ終了メッセージを第１の３ＧＰＰ通信ネットワークの旧ＭＭＥへ送信するプロセスは説明のための実施例として設定されている。
【０２０３】
ステップｈ３において、ハンドオーバ終了メッセージを受信した後、第１の３ＧＰＰ通信ネットワークの旧ＭＭＥは、資源を解放するように、第１の指示情報または第３の指示情報を含むベアラ削除要求メッセージまたはＰＤＰコンテキスト削除要求メッセージを送信することによりサービングＧＷとの資源解放プロセスに関するセッションネゴシエーションを実行する。第１の指示情報は、ＵＥの通信ネットワークが３ＧＰＰ通信ネットワークから非３ＧＰＰ通信ネットワークへ移行したことを指示するように構成され、第３の指示情報は、資源解放プロセスが最適化されたハンドオーバによって生じたことを指示する。
【０２０４】
ステップｈ４において、サービングＧＷが資源解放プロセスに関するセッションネゴシエーションを終了した後、ＰＤＮ  ＧＷの中で３ＧＰＰ通信ネットワーク側の資源の解放がサービングＧＷによって通知される必要がある場合、サービングＧＷは、資源を解放することをＰＤＮ  ＧＷに指示するように、ＰＤＮ  ＧＷとのセッションネゴシエーションを実行する。このプロセスは第６の実施形態のステップＨ４におけるプロセスと同じであるので、ここで説明されていない。
【０２０５】
ステップｈ３は特に以下のステップを含む。
【０２０６】
ステップｈ３０１において、ハンドオーバ終了メッセージを受信した後、第１の３ＧＰＰ通信ネットワークの旧ＭＭＥはベアラ削除要求メッセージまたはＰＤＰコンテキスト削除要求メッセージをサービングＧＷへ送信する。
【０２０７】
旧ＭＭＥは、ＵＥが３ＧＰＰ通信ネットワークから非３ＧＰＰ通信ネットワークへ移行したことによってベアラ削除要求メッセージまたはＰＤＰコンテキスト削除要求メッセージが生じたことを指示するように、メッセージの中に第１の指示情報を含める。特有のプロセスは第３の実施形態のステップＦ３０１における説明と同じであるので、ここで説明されていない。
【０２０８】
旧ＭＭＥは、ベアラ削除要求メッセージまたはＰＤＰコンテキスト削除要求メッセージが最適化されたハンドオーバによって生じたことを指示するように、メッセージの中に第３の指示情報を含めることがあることに注意されたい。特有のプロセスに関して、第６の実施形態のステップＨ３０１における説明を参照のこと。したがって、特有のプロセスはここで説明されていない。
【０２０９】
ベアラ削除要求メッセージまたはＰＤＰコンテキスト削除要求メッセージを受信した後、第１の指示情報または第３の指示情報に従って、サービングＧＷは、ＵＥが３ＧＰＰ通信ネットワークから非３ＧＰＰ通信ネットワークへ移行したこと、または、最適化されたハンドオーバによってベアラ削除が生じたことを検出し、サービングＧＷは、ＵＥがＩＳＲメカニズムを使用していることを検出し、サービングＧＷは、その後に以下の様態で処理する。
【０２１０】
サービングＧＷは、サービングＧＷの中でＵＥの（第１の３ＧＰＰ通信ネットワークの旧ＭＭＥおよび第２の３ＧＰＰ通信ネットワークの旧ＳＧＳＮへ向かうサービングＧＷのベアラコンテキスト、および、制御プレーン資源を含む）ＵＥのユーザプレーン資源および制御プレーン資源を含むすべての資源を解放し、旧ＳＧＳＮはベアラ資源解放を通知する必要がない。
【０２１１】
代替的に、サービングＧＷはＵＥのＩＳＲメカニズムを不活性化にし、旧ＭＭＥに関連したサービングＧＷの中の資源（たとえば、旧ＭＭＥへ向かうサービングＧＷの制御プレーン資源）を削除するが、サービングＧＷはＵＥによって使用されるベアラコンテキストを削除せず、旧ＳＧＳＮへ向かうサービングＧＷの制御プレーン資源を削除しない。サービングＧＷは、旧ＳＧＳＮから送信されたベアラ削除要求メッセージまたはＰＤＰコンテキスト削除要求メッセージを受信した後、サービングＧＷの中でＵＥのすべての資源（たとえば、旧ＳＧＳＮへ向かうサービングＧＷのベアラコンテキストおよび制御プレーン資源）を解放する。
【０２１２】
代替的に、ステップｈ３０２において、ステップｈ２で非３ＧＰＰ通信ネットワークの中のＮＥから送信されたハンドオーバ終了メッセージを受信した後、第１の３ＧＰＰ通信ネットワークの旧ＭＭＥが、ＵＥがＩＳＲメカニズムを使用していることを検出したとき、旧ＭＭＥは、ＵＥのＩＳＲメカニズムを不活性化することを決定し、ユーザを切り離すことを第２の３ＧＰＰ通信ネットワークの旧ＳＧＳＮへ通知し、デタッチ要求メッセージを第２の３ＧＰＰ通信ネットワークの旧ＳＧＳＮへ送信する。
【０２１３】
旧ＭＭＥは、ＵＥが３ＧＰＰ通信ネットワークから非３ＧＰＰ通信ネットワークへ移行したことによってデタッチ要求メッセージが生じたことを指示するように、デタッチ要求メッセージの中に第１の指示情報を含めることがある。特有のプロセスに関して、第２の実施形態のステップｓ３０２における説明を参照のこと。したがって、特有のプロセスはここで説明されていない。
【０２１４】
旧ＭＭＥは、ＵＥのＩＳＲメカニズムが不活性化されたことによってデタッチ要求メッセージが生じたことを指示するように、デタッチ要求メッセージの中に第２の指示情報を含めることがあることに注意されたい。特有のプロセスに関して、第２の実施形態のステップｓ３０２における説明を参照のこと。したがって、特有のプロセスはここで説明されていない。旧ＭＭＥは、デタッチ要求メッセージが最適化されたハンドオーバによって生じたことを指示するように、メッセージの中に第３の指示情報をさらに組み込むことがある。特有のプロセスは後述の通りでもよい。
【０２１５】
原因ＩＥは、デタッチ要求メッセージが最適化されたハンドオーバによって生じたことを指示するように、特定の原因値（たとえば、「最適化されたハンドオーバ」）に設定される。
【０２１６】
代替的に、特定の指示ビットＩＥまたは識別ビットＩＥ（たとえば、「最適化されたハンドオーバ」または「最適化されたハンドオーバフラグ」）が、デタッチ要求メッセージが最適化されたハンドオーバによって生じたことを指示するように設定される。
【０２１７】
代替的に、削除タイプＩＥが、デタッチ要求メッセージが最適化されたハンドオーバによって生じたことを指示するように特定の値（たとえば、３）に設定される。
【０２１８】
旧ＭＭＥは、ユーザを切り離し、資源を解放することを旧ＳＧＳＮへ通知するためその他のメッセージを送信することがあり、たとえば、旧ＭＭＥは、ユーザを切り離し、資源を解放することを旧ＳＧＳＮへ通知するため資源削除要求またはデタッチ指示メッセージを旧ＳＧＳＮへ送信することに注意されたい。
【０２１９】
ステップｈ３０３において、デタッチメッセージを受信した後、旧ＭＭＥは局所的にユーザを切り離し、ベアラコンテキスト資源を削除し、ＵＥの状態を「ＥＭＭ−ＤＥＲＥＧＩＳＴＥＲＥＤ」状態に設定する。旧ＭＭＥが、ＵＥがＩＳＲメカニズムを使用していることを検出した場合、旧ＭＭＥは以下のプロセスを実行することがある。
【０２２０】
デタッチ要求メッセージが、ＵＥが３ＧＰＰ通信ネットワークから非３ＧＰＰ通信ネットワークへ移行したことによって、または、ＩＳＲが不活性化されたことによって、または、最適化されたハンドオーバによってデタッチ要求が生じたことを指示する第１の指示情報、第２の指示情報、または、第３の指示情報を含まないとき、旧ＭＭＥはＰＤＰコンテキスト削除要求（またはベアラ削除要求）メッセージをサービングＧＷへ送信する。
【０２２１】
代替的に、デタッチ要求メッセージが、ＵＥが３ＧＰＰ通信ネットワークから非３ＧＰＰ通信ネットワークへ移行したことによって、または、最適化されたハンドオーバによって、または、ＩＳＲが不活性化されたことによってデタッチ要求が生じたことを指示する第１の指示情報、第２の指示情報、または、第３の指示情報を含み、サービングＧＷが旧ＭＭＥによって資源解放を通知されることなくすべての資源を解放するとき、旧ＭＭＥはＰＤＰコンテキスト削除要求（またはベアラ削除要求）メッセージをサービングＧＷへ送信しない。
【０２２２】
代替的に、デタッチ要求メッセージが、ＵＥが３ＧＰＰ通信ネットワークから非３ＧＰＰ通信ネットワークへ移行したことによって、または、最適化されたハンドオーバによって、または、ＩＳＲが不活性化されたことによってデタッチ要求が生じたことを指示する第１の指示情報、第２の指示情報、または、第３の指示情報を含み、サービングＧＷが旧ＭＭＥによって資源解放を通知された後すべての資源を解放するとき、旧ＭＭＥはＰＤＰコンテキスト削除要求（またはベアラ削除要求）メッセージをサービングＧＷへ送信する。
【０２２３】
ステップｈ３０４において、旧ＭＭＥはデタッチ応答メッセージを旧ＳＧＳＮへ返信する。
【０２２４】
上記ステップにおいて、旧ＳＧＳＮまたは旧ＭＭＥが、ＵＥがＭＳＣに登録していることを検出した場合、ＭＭＥまたはＳＧＳＮがＵＥを切り離し、ＵＥが３ＧＰＰ通信ネットワークから非３ＧＰＰ通信ネットワークへ移行したことによってＵＥの切り離しが生じたとき、旧ＳＧＳＮまたは旧ＭＭＥは、ＵＥを切り離すことをＭＳＣに指示するため、ＩＭＳＩデタッチ指示メッセージをＭＳＣへ送信する。
【０２２５】
非３ＧＰＰネットワークによってトリガーされたサービングＧＷと３ＧＰＰ通信ネットワークとの間の資源解放プロセスに関するセッションネゴシエーションに基づいて、資源は、３ＧＰＰ通信ネットワークの中でＩＳＲメカニズムを使用するユーザが非３ＧＰＰ通信ネットワークへハンドオーバされたときに解放され、既存の関連したＮＥは修正される必要があり、機能は拡張される必要がある。
【０２２６】
図９を参照すると、第１のメッセージ受信ユニット１と処理ユニット２とを含む本発明によるサービングＧＷが示されている。
【０２２７】
第１のメッセージ受信ユニット１は、（ＰＤＮ  ＧＷ、旧ＭＭＥ、または、旧ＳＧＳＮを含む）ピアエンドポイントＮＥから送信された指示情報を含むメッセージを受信するように構成されている。
【０２２８】
処理ユニット２は、第１のメッセージ受信ユニット１によって受信されたメッセージに従って、ＵＥのため３ＧＰＰ通信ネットワークによって確立されたネットワーク資源を削除するように構成されている。
【０２２９】
処理ユニット２は、指示ビット分析ユニット２１と、資源削除ユニット２２と、セッション・ネゴシエーション・ユニット２３とを含む。
【０２３０】
指示ビット分析ユニット２１は、第１のメッセージ受信ユニット１によって受信されたメッセージの中の指示情報に従って、ＵＥのため３ＧＰＰアクセスネットワークによって確立されたネットワーク資源を削除するかどうかを判断するように構成されている。
【０２３１】
資源削除ユニット２２は、指示ビット分析ユニット２１の分析結果が肯定であるとき、サービスＧＷ上でＵＥのため３ＧＰＰ通信ネットワークによって確立されたネットワーク資源を削除するように構成されている。
【０２３２】
セッション・ネゴシエーション・ユニット２３は、指示ビット分析ユニット２１の分析結果が肯定であるとき、ＵＥのため確立されたネットワーク資源を解放することを３ＧＰＰ通信ネットワークの移動性管理ＮＥに通知するように構成されている。
【０２３３】
セッション・ネゴシエーション・ユニット２３は送信ユニット２３１と受信ユニット２３２とを含む。
【０２３４】
送信ユニット２３１は、資源を解放することを移動性管理ＮＥに通知するため、ベアラ削除要求メッセージまたはＰＤＰコンテキスト削除要求メッセージを３ＧＰＰ通信ネットワークの移動性管理ＮＥへ送信するように構成されている。
【０２３５】
受信ユニット２３２は、移動性管理ＮＥから返信されたベアラ削除応答メッセージまたはＰＤＰコンテキスト削除応答メッセージを受信するように構成されている。
【０２３６】
本実施形態では、指示情報は、第１の指示情報、第２の指示情報、または、第３の指示情報を含む。
【０２３７】
第１の指示情報は、ＵＥの通信ネットワークが３ＧＰＰ通信ネットワークから非３ＧＰＰ通信ネットワークへ移行したことを指示するように構成されている。
【０２３８】
第２の指示情報は、ＵＥのＩＳＲが不活性化されたことを指示するように構成されている。
【０２３９】
第３の指示情報は最適化されたハンドオーバを指示するように構成されている。
【０２４０】
ピアエンドポイントＮＥから送信されたメッセージは、ＰＤＮ  ＧＷから送信されたベアラ削除要求メッセージまたはバインディング取消指示メッセージ、あるいは、３ＧＰＰ通信ネットワークの移動性管理ＮＥから送信されたベアラ削除要求メッセージまたはＰＤＰコンテキスト削除要求メッセージを含む。
【０２４１】
図１０を参照すると、第２のメッセージ受信ユニット３１と、資源解放ユニット３２と、メッセージ送信ユニット３３とを含む本発明による移動性管理ＮＥが示されている。
【０２４２】
第２のメッセージ受信ユニット３１は、ＨＳＳから送信されたロケーション解除メッセージ、または、非３ＧＰＰ通信ネットワークから送信されたハンドオーバ終了メッセージを受信するように構成され、ロケーション解除メッセージは、ＵＥの通信ネットワークが３ＧＰＰ通信ネットワークから非３ＧＰＰ通信ネットワークへ移行したことを指示するように第１の指示情報を含むことがある。
【０２４３】
資源解放ユニット３２は、第２のメッセージ受信ユニット３１がロケーション解除メッセージまたはハンドオーバ終了メッセージを受信した後、ＵＥのための３ＧＰＰ通信ネットワークによって確立された資源を解放するように構成されている。
【０２４４】
メッセージ送信ユニット３３は、指示情報を含むメッセージをサービングＧＷへ送信し、資源を解放することをサービングＧＷに通知するように構成されている。
【０２４５】
本発明の別の実施形態では、移動性管理ＮＥは資源解放通知ユニット３４をさらに含む。
【０２４６】
資源解放通知ユニット３４は、ＵＥのため確立されたネットワーク資源を解放することを他の３ＧＰＰ通信ネットワークの移動性管理ＮＥへ通知するように構成されている。デタッチ要求メッセージは、第１の指示情報、第２の指示情報、または、第３の指示情報を含むことがある。第１の指示情報は、ＵＥの通信ネットワークが３ＧＰＰ通信ネットワークから非３ＧＰＰ通信ネットワークへ移行したことを指示するように構成され、第２の指示情報は、ＵＥのＩＳＲが不活性化されたことを指示するように構成され、第３の指示情報は、最適化されたハンドオーバを指示するように構成されている。
【０２４７】
本実施形態では、指示情報は、第１の指示情報、第２の指示情報、または、第３の指示情報を含む。
【０２４８】
第１の指示情報は、ＵＥの通信ネットワークが３ＧＰＰ通信ネットワークから非３ＧＰＰ通信ネットワークへ移行したことを指示するように構成されている。
【０２４９】
第２の指示情報は、ＵＥのＩＳＲが不活性化されたことを指示するように構成されている。
【０２５０】
第３の指示情報は、最適化されたハンドオーバを指示するように構成されている。
【０２５１】
本実施形態では、指示情報を含むメッセージは、ベアラ削除要求メッセージまたはＰＤＰコンテキスト削除要求メッセージである。
【０２５２】
本発明の実施形態による移動性管理ＮＥはＭＭＥまたはＳＧＳＮであることに注意されたい。
【０２５３】
本発明の実施形態による資源解放処理の方法および関連した装置によれば、ＩＳＲメカニズムを使用しているユーザが３ＧＰＰ通信ネットワークから非３ＧＰＰ通信ネットワークへ移動した後にプロセスを実行できないという従来技術の問題が解決されるように、要求メッセージは、プロセスを実行することを対応するＮＥに指示するため、ＩＳＲメカニズムを使用するＵＥが３ＧＰＰ通信ネットワークから非３ＧＰＰ通信ネットワークへ移行またはハンドオーバされたことを指示する指示情報を含み、旧ネットワークリソースは、ＩＳＲメカニズムを使用しているＵＥが３ＧＰＰ通信ネットワークから非３ＧＰＰ通信ネットワークへ移行したときに解放され、それによって、システム処理能力を改善し、ユーザのサービス品質（ＱｏＳ）を保証する。
【０２５４】
上記説明は本発明の好ましい実施形態に過ぎない。
【図１】
0005487338.tif 000002
【図２】
0005487338.tif 000003
【図３】
0005487338.tif 000004
【図４】
0005487338.tif 000005
【図５】
0005487338.tif 000006
【図６】
0005487338.tif 000007
【図７】
0005487338.tif 000008
【図８】
0005487338.tif 000009
【図９】
0005487338.tif 000010
【図１０】
0005487338.tif 000011